(57)【要約】  旋回時の乗員姿勢保持を容易にすることができる車両用シート装置を提供することを課題とする。  車両用シート装置１に、回転軸Ａを中心として座部７を車両のロール方向及びヨー方向に回動自在に支持する座部支持機構９を備え、回転軸Ａを、車両用シート装置１の前後方向において前方よりも後方が高くなるとともに、車両用シート装置１に着座したドライバの腰部付近を通るように設定する。すると、ドライバは、操舵操作の際に、骨盤の旋回方向内側を、骨盤の旋回方向外側に対してドライバの上下方向において相対的に上方に移動した姿勢をとることができ、また、骨盤の旋回方向内側を、骨盤の旋回方向外側に対してドライバの前後方向において相対的に前方に移動した姿勢をとることができる。この動きは、骨盤と肩部の角運動量保存の法則からみて最適な動きとなるため、楽に操舵操作を行うことができ乗員の操舵操作性が向上する。
2013021497.tif 000002
【特許請求の範囲】
【請求項１】
座部と、前記座部の後側に配置されたシートバックと、を有する車両用シート装置であって、
前記座部の右側と左側とが前記車両用シート装置の上下方向に相対的に移動するように、前記座部を支持する座部支持手段を有する、
車両用シート装置。
【請求項２】
前記座部支持手段は、前記座部を車両のロール方向において回動自在に支持する、
請求項１に記載の車両用シート装置。
【請求項３】
前記座部支持手段は、前記座部の右側と左側とが前記車両用シート装置の前後方向に相対的に移動するように、前記座部を支持する、
請求項１又は２に記載の車両用シート装置。
【請求項４】
前記座部支持手段は、前記座部を車両のヨー方向において回動自在に支持する、
請求項３に記載の車両用シート装置。
【請求項５】
前記座部支持手段による前記座部の回転軸は、前記車両用シート装置の前後方向において前方よりも後方が高くなるように設定されている、
請求項１〜４の何れか一項に記載の車両用シート装置。
【請求項６】
前記座部支持手段による前記座部の回転軸は、乗員腰部付近を通る、
請求項１〜５の何れか一項に記載の車両用シート装置。
【請求項７】
前記シートバックの右側と左側とが前記車両用シート装置の上下方向に相対的に移動するように、前記シートバックを支持するシートバック支持手段を更に有する、
請求項１〜６の何れか一項に記載の車両用シート装置。
【請求項８】
前記シートバック支持手段は、前記シートバックを車両のロール方向において回動自在に支持する、
請求項７に記載の車両用シート装置。
【請求項９】
前記シートバック支持手段は、前記シートバックの右側と左側とが前記車両用シート装置の前後方向に相対的に移動するように、前記シートバックを支持し、
前記座部と前記シートバックとを上面視において逆方向に回動させる移動方向規制手段を更に有する、
請求項７又は８に記載の車両用シート装置。
【請求項１０】
前記シートバック支持手段は、前記シートバックを車両のヨー方向において回動自在に支持する、
請求項９に記載の車両用シート装置。
【請求項１１】
前記シートバック支持手段による前記シートバックの回転軸は、乗員胸部付近を通る、
請求項７〜１０の何れか一項に記載の車両用シート装置。
【請求項１２】
座部と、前記座部の後側に配置されたシートバックと、を有する車両用シート装置であって、
前記座部の車両旋回方向と同方向側を、前記座部の車両旋回方向と逆方向側に対して前記車両用シート装置の上下方向において相対的に上方に移動させる座部移動手段を有する、
車両用シート装置。
【請求項１３】
前記座部移動手段は、前記座部の車両旋回方向と同方向側を、前記座部の車両旋回方向と逆方向側に対して前記車両用シート装置の前後方向において相対的に前方に移動させる、
請求項１２に記載の車両用シート装置。
【請求項１４】
前記シートバックの車両旋回方向と同方向側を、前記シートバックの車両旋回方向と逆方向側に対して前記車両用シート装置の上下方向において相対的に下方に移動させるシートバック移動手段を更に有する、
請求項１２又は１３に記載の車両用シート装置。
【請求項１５】
前記シートバック移動手段は、前記シートバックの車両旋回方向と同方向側を、前記シートバックの車両旋回方向と逆方向側に対して前記車両用シート装置の前後方向において相対的に後方に移動させ、
前記座部と前記シートバックとを、前記車両用シート装置の前後方向において逆方向に移動させる移動方向規制手段を更に有する、
請求項１２〜１４の何れか一項に記載の車両用シート装置。
【請求項１６】
前記座部の回転軸は、前記車両用シート装置の前後方向において前方よりも後方が高くなるように設定されている、
請求項１２〜１５の何れか一項に記載の車両用シート装置。
【請求項１７】
前記座部の回転軸は、乗員腰部付近を通る、
請求項１２〜１６の何れか一項に記載の車両用シート装置。
【請求項１８】
座部と、前記座部の後側に配置されたシートバックと、を有する車両用シート装置であって、
前記車両用シート装置の左右方向における一方の前記座部と前記シートバックとの間隔を変更する間隔変更手段を有する、
車両用シート装置。
【請求項１９】
座部と、前記座部の後側に配置されたシートバックと、を有する車両用シート装置であって、
前記車両用シート装置の上面視において前記座部を回動させる座部回動手段と、
前記車両用シート装置の上面視において前記シートバックを回動させるシートバック回動手段と、
を有し、
前記座部回動手段及び前記シートバック回動手段は、上面視において前記座部と前記シートバックとを逆方向に回動させる、
車両用シート装置。
【発明の詳細な説明】
【技術分野】
【０００１】
本発明は、座部とシートバックとを有する車両用シート装置に関する。
【背景技術】
【０００２】
従来、車両用シート装置として、特許文献１に記載されたものがある。特許文献１に記載された技術は、アクチュエータにより可動する可動床に、ステアリングが取り付けられたインパネモジュールと車両用シートとを固定している。そして、この技術は、ステアリングの操舵角に基づいて車両の進行方向を算出し、車両用シートが進行方向を向くように、アクチュエータを駆動して可動床を回転させるものである。
【先行技術文献】
【特許文献】
【０００３】
【特許文献１】特開２０１１−０５１４９０号公報
【発明の概要】
【発明が解決しようとする課題】
【０００４】
しかしながら、特許文献１に記載の技術は、操舵操作を行う乗員の体の動きを考慮していない。このため、操舵操作性や旋回時の姿勢保持性などの向上には改善の余地がある。【０００５】
そこで、本発明は、旋回時の乗員姿勢保持を容易にすることができる車両用シート装置を提供することを課題とする。
【課題を解決するための手段】
【０００６】
本発明者らは、上記課題を解決するために鋭意検討を行ったところ、下記の知見に至った。【０００７】
人の運動の多くは、腰部を起点に発生し、また、腰部を様々な方向に動かすことで、より楽に効果的な運動を行うことができることが知られている。例えば、ランニングでは、腰部を屈曲及び回動させて骨盤と肩甲骨とを逆方向に動かすことで、楽に速く走ることができる。また、例えば、空手でも、腰部を屈曲及び回動させて骨盤と肩甲骨とを逆方向に動かすことで、スピードとパワーのある突き（ｐｕｎｃｈ）を行うことができる。【０００８】
しかしながら、ドライバは、車両に固定されたシートに着座しているため、常に腰部が固定された状態となる。このため、ドライバは、自然な運動の起点となる腰部が固定された状態で運転操作を行わなくてはならない。【０００９】
例えば、操舵操作の際、ドライバは、腰部を起点として骨盤と肩甲骨とを逆方向に動かす運動ができないため、腕の筋力だけでステアリングの回転操作をしなければならない。しかしながら、腕の筋肉は、腰部の体幹筋に比べて小さく持久力が低いため、腕の筋力だけでステアリングを回転操作すると、腕が疲れやすくなる。しかも、腰部を起点とした自然な運動とは異なり、腰部が固定された不自然な姿勢で腕の運動を行うため、肩や首も疲れやすくなる。【００１０】
また、腰部が固定されることで体幹筋に力が入らないため、横方向の剛性が極めて小さくなる。このため、ドライバが、車両旋回方向外側に向かう横力に耐えるためには、シートのサイドサポートに頼らざるを得なくなる。このため、シートの重量化及び大型化を招いてしまう。【００１１】
また、腰部が固定された状態が長時間継続すると、腰部の体幹筋が大きく低下するため、腰痛の発生原因となる。なお、タクシードライバーの３大疾病は、腰痛、痔及び胃潰瘍であるが、その要因は、長時間車両を運転することによる体幹筋の筋力低下によるものと言われている。【００１２】
このようなことから、本発明者らは、車両用シート装置の座部を移動可能とすることで、上記課題を解決することができるとの知見に至った。【００１３】
すなわち、本発明に係る車両用シート装置は、座部と、前記座部の後側に配置されたシートバックと、を有する車両用シート装置であって、座部の右側と左側とが車両用シート装置の上下方向に相対的に移動するように、座部を支持する座部支持手段を有する。【００１４】
本発明にかかる車両用シート装置によれば、乗員は、腰椎を左右方向に折り曲げて、骨盤の右側と左側とを車両用シート装置の上下方向に相対的に移動させることができる。これにより、乗員は、意識的に又は無意識的に、楽に操舵操作を行うことができる姿勢や、旋回時の姿勢保持性に優れた姿勢をとることができるため、乗員の姿勢保持性を向上させることができる。【００１５】
例えば、乗員は、操舵操作を行う際、腰椎を左右方向に折り曲げて、車両旋回方向内側の骨盤を、車両旋回方向外側の骨盤に対して車両用シート装置の上下方向において相対的に上方に移動させることができる。この動きは、骨盤と肩部の角運動量保存の法則からみて最適な動きとなるため、乗員の操舵操作性が向上する。しかも、乗員は、このように椎骨を左右方向に折り曲げて骨盤を移動させることで、腕の筋肉だけでなく、腕の筋肉よりも大きく持久力の高い体幹筋も使って、ステアリングを回動させることができるため、操舵操作に伴う腕、肩及び首の筋肉の疲れが軽減され、楽に操舵操作を行うことができる。【００１６】
また、乗員は、車両が旋回している間も、腰椎を左右方向に折り曲げて骨盤を移動させた姿勢を保持することができる。このため、乗員は、車両旋回方向外側の体幹側方筋が伸びるとともに、車両旋回方向内側の体幹側方筋が縮み、横方向の剛性が高まる。これにより、乗員は、大きなサイドサポートに頼らなくても、車両旋回方向外側に向かう横力に耐えることができるため、シートの軽量化及びコンパクト化を図ることができる。【００１７】
また、乗員は、操舵操作の度に、体幹筋を使って骨盤を動かす腰部の運動を行うことができるため、運転中であっても腰部の運動を行うことができる。これにより、体幹筋の筋力低下が抑制されるため、体幹筋の筋力低下に伴う腰痛などの疾病を抑制することができる。また、腰部周りの血行が促進されることから、腰部周りの血行不良に伴う内蔵機能低下などの疾病を抑制することができる。このようなことから、車両を運転することで健康促進を図ることができる。【００１８】
本発明は、座部支持手段を、座部を車両のロール方向において回動自在に支持するものとすることができる。【００１９】
このように、座部を車両のロール方向において回動自在に支持することで、操舵操作時に乗員の骨盤を自然に移動させることができる。これにより、体幹筋を使って骨盤を動かす腰部の運動を円滑に行うことができる。【００２０】
本発明は、座部支持手段を、座部の右側と左側とが車両用シート装置の前後方向に相対的に移動するように、座部を支持するものとすることができる。【００２１】
このようにすることで、乗員は、腰椎を捻って、骨盤の右側と左側とを車両用シート装置の前後方向に相対的に移動させることができる。これにより、乗員は、意識的に又は無意識的に、楽に操舵操作を行うことができる姿勢や、旋回時の姿勢保持性に優れた姿勢をとることができるため、乗員の姿勢保持性を更に向上させることができる。【００２２】
例えば、乗員は、操舵操作を行う際に、腰椎を捻って、車両旋回方向内側の骨盤を、車両旋回方向外側の骨盤に対して車両用シート装置の前後方向において前方に移動させることができる。この動きは、骨盤と肩部の角運動量保存の法則からみて最適な動きとなるため、ドライバの操舵操作性を更に向上させることができる。【００２３】
本発明は、座部支持手段を、座部を車両のヨー方向において回動自在に支持するものとすることができる。【００２４】
このように、座部を車両のヨー方向において回動自在に支持することで、操舵操作時に乗員の骨盤を自然に移動させることができる。これにより、体幹筋を使って骨盤を動かす腰部の運動を円滑に行うことができる。【００２５】
本発明は、座部支持手段による座部の回転軸を、車両用シート装置の前後方向において前方よりも後方が高くなるように設定することができる。【００２６】
人の腰椎は後傾しているため、座部の回転軸を、車両用シート装置の前後方向において前方よりも後方が高くなるように設定することで、腰椎の折り曲げや腰椎の捻りが行い易くなる。これにより、乗員の操舵操作性を更に向上させることができる。【００２７】
本発明は、座部支持手段による座部の回転軸を、乗員腰部付近に通すことができる。【００２８】
骨盤は、主に腰椎を中心軸として動くことが多いため、乗員腰部付近に座部の回転軸を通すことで、腰椎の折り曲げや腰椎の捻りが更に行い易くなる。これにより、乗員の操舵操作性を更に向上させることができる。【００２９】
本発明は、シートバックの右側と左側とが車両用シート装置の上下方向に相対的に移動するように、シートバックを支持するシートバック支持手段を更に有するものとすることができる。【００３０】
このようにすることで、乗員は、腰椎を左右方向に折り曲げて、肩甲骨の右側と左側とを車両用シート装置の上下方向に相対的に移動させることができる。このため、乗員は、意識的に又は無意識的に、楽に操舵操作を行うことができる姿勢や、旋回時の姿勢保持性に優れた姿勢をとることができるため、乗員の操舵操作性を更に向上させることができる。【００３１】
本発明は、シートバック支持手段を、シートバックを車両のロール方向において回動自在に支持するものとすることができる。【００３２】
このように、シートバックを車両のロール方向において回動自在に支持することで、操舵操作時に乗員の肩甲骨を自然に移動させることができる。これにより、体幹筋を使って肩甲骨を動かす腰部の運動を円滑に行うことができる。【００３３】
本発明は、シートバック支持手段を、シートバックの右側と左側とが車両用シート装置の前後方向に相対的に移動するように、シートバックを支持するものとし、座部とシートバックとを上面視において逆方向に回動させる移動方向規制手段を更に有するものとすることができる。【００３４】
このようにすることで、乗員は、腰椎を捻って、肩甲骨の右側と左側とを車両用シート装置の前後方向に相対的に移動させることができる。これにより、乗員は、意識的に又は無意識的に、楽に操舵操作を行うことができる姿勢や、旋回時の姿勢保持性に優れた姿勢をとることができる。【００３５】
しかも、乗員は、常に、骨盤と肩部とをヨー方向において逆方向に回動させることができる。この姿勢は、骨盤と肩部の角運動量保存の法則からみて最適な動きとなるため、乗員の操舵操作性を更に向上させることができる。【００３６】
本発明は、シートバック支持手段を、シートバックを車両のヨー方向において回動自在に支持するものとすることができる。【００３７】
このように、シートバックを車両のヨー方向において回動自在に支持することで、操舵操作時に乗員の肩甲骨を自然に移動させることができる。これにより、体幹筋を使って肩甲骨を動かす腰部の運動を円滑に行うことができる。【００３８】
本発明は、シートバック支持手段によるシートバックの回転軸を、乗員胸部付近に通すことができる。【００３９】
肩甲骨は、主に胸椎又は腰椎を中心軸として動くことが多いため、乗員胸部付近にシートバックの回転軸を通すことで、腰椎の折り曲げや腰椎の捻りを更に行い易くすることができる。これにより、乗員の操舵操作性を更に向上させることができる。【００４０】
本発明に係る車両用シート装置は、座部と、座部の後側に配置されたシートバックと、を有する車両用シート装置であって、座部の車両旋回方向内側を、座部の車両旋回方向外側に対して車両用シート装置の上下方向において相対的に上方に移動させる座部移動手段を有する。【００４１】
本発明に係る車両用シート装置によれば、座部移動手段により座部を移動させることで、乗員の骨盤の右側と左側とを車両用シート装置の上下方向に相対的に移動させることができる。これにより、乗員に、楽に操舵操作を行うことができる姿勢や、旋回時の姿勢保持性に優れた姿勢をとらせるように誘導することができるため、乗員の姿勢保持性を向上させることができる。【００４２】
例えば、乗員が車両を旋回させるために操舵操作を行う際、座部移動手段により座部を移動させることで、乗員骨盤の車両旋回方向内側を、乗員骨盤の車両旋回方向外側に対して車両用シート装置の上下方向において相対的に上方に移動させることができる。この動きは、骨盤と肩部の角運動量保存の法則から見て最適な動きとなるため、乗員の操舵操作性が向上する。しかも、座部移動手段による座部の移動により乗員骨盤を動かすことで、乗員は、腕の筋肉だけでなく、腕の筋肉よりも大きく持久力の高い体幹筋も使って、ステアリングを回動させることができるため、操舵操作に伴う腕、肩及び首の筋肉の疲れが軽減され、楽に操舵操作を行うことができる。【００４３】
また、車両が旋回している間も、座部移動手段により、乗員に骨盤を移動させた姿勢を保持させることができる。このため、乗員は、車両旋回方向外側の体幹側方筋が伸びるとともに、車両旋回方向内側の体幹側方筋が縮み、横方向の剛性が高まる。これにより、乗員は、大きなサイドサポートに頼らなくても、車両旋回方向外側に向かう横力に耐えることができるため、シートの軽量化及びコンパクト化を図ることができる。【００４４】
また、操舵操作の度に、座部移動手段による座部の移動により乗員骨盤を動かすことで、体幹筋を使って腰椎を折り曲げる腰部の運動が行われるため、乗員は、運転中であっても腰部の運動を行うことができる。これにより、体幹筋の筋力低下が抑制されるため、体幹筋の筋力低下に伴う腰痛などの疾病を抑制することができる。また、腰部周りの血行が促進されることから、腰部周りの血行不良に伴う内蔵機能低下などの疾病を抑制することができる。このようなことから、車両を運転することで健康促進を図ることができる。【００４５】
本発明は、座部移動手段が、座部の車両旋回方向と同方向側を、座部の車両旋回方向と逆方向側に対して車両用シート装置の前後方向において相対的に前方に移動させるものとすることができる。【００４６】
このようにすると、座部移動手段により座部を移動させることで、乗員骨盤の右側と左側とを車両用シート装置の前後方向に相対的に移動させることができる。これにより、乗員に、楽に操舵操作を行うことができる姿勢や、旋回時の姿勢保持性に優れた姿勢をとらせるように誘導することができるため、乗員の姿勢保持性を更に向上させることができる。【００４７】
例えば、乗員が車両を旋回させるために操舵操作を行う際、座部移動手段により座部を移動させることで、乗員骨盤の車両旋回方向内側を、乗員骨盤の車両旋回方向外側に対して車両用シート装置の前後方向において相対的に前方に移動させることができる。この動きは、骨盤と肩部の角運動量保存の法則から見て最適な動きとなるため、乗員の操舵操作性を更に向上させることができる。【００４８】
本発明は、シートバックの車両旋回方向内側を、シートバックの車両旋回方向外側に対して車両用シート装置の上下方向において相対的に下方に移動させるシートバック移動手段を更に有するものとすることができる。【００４９】
このようにすると、シートバック移動手段によりシートバックを移動させることで、乗員肩甲骨の右側と左側とを車両用シート装置の上下方向に相対的に移動させることができる。これにより、乗員骨盤だけでなく乗員肩甲骨も動かすことができるため、乗員に、車両の走行状態や車両の操舵状態に応じた骨盤及び腰椎の安定する姿勢をとらせように誘導することができる、これにより、乗員の操舵操作性を更に向上させることができる。【００５０】
本発明は、シートバック移動手段が、シートバックの車両旋回方向内側を、シートバックの車両旋回方向外側に対して車両用シート装置の前後方向において相対的に後方に移動させるものとし、座部とシートバックとを、車両用シート装置の前後方向において逆方向に移動させる移動方向規制手段を更に有するものとすることができる。【００５１】
このようにすると、シートバック移動手段によりシートバックを移動させることで、乗員肩甲骨の右側と左側とを車両用シート装置の前後方向に相対的に移動させることができる。また、乗員肩甲骨を移動させることで、乗員に椎骨を捻らせることができる。一方、座部とシートバックとは、車両用シート装置の前後方向において逆方向に移動するため、常に、乗員骨盤の車両旋回方向内側が、乗員骨盤の車両旋回方向外側よりも前方となるように、乗員に椎骨を捻らせることができる。これにより、乗員に、車両の走行状態や車両の操舵状態に応じた骨盤、腰椎及び肩甲骨の安定する姿勢をとらせるように誘導することができるため、乗員の操舵操作性を更に向上させることができる。【００５２】
本発明は、座部の回転軸を、車両用シート装置の前後方向において前方よりも後方が高くなるように設定することができる。【００５３】
人の腰椎は後傾しているため、座部移動手段による乗員骨盤の回転軸を、車両用シート装置の前後方向において前方よりも後方が高くなるように設定することで、腰椎の折り曲げや腰椎の捻りが行い易くなる。これにより、乗員の操舵操作性を更に向上させることができる。【００５４】
本発明は、座部の回転軸を、乗員腰部付近に通すことができる。【００５５】
骨盤は、主に腰椎を中心軸として動くことが多いため、乗員腰部付近に乗員骨盤の回転軸を通すことで、腰椎の折り曲げや腰椎の捻りが更に行い易くなる。これにより、乗員の操舵操作性を更に向上させることができる。【００５６】
本発明に係る車両用シート装置は、座部と、座部の後側に配置されたシートバックとを有する車両用シート装置であって、車両用シート装置の左右方向における一方の座部とシートバックとの間隔を変更する間隔変更手段を有する。【００５７】
本発明に係る車両用シート装置によれば、間隔変更手段により、車両用シート装置の左右方向における一方の座部とシートバックとの間隔が変更することで、車両用シート装置の左右方向における一方の乗員肩部と乗員骨盤との間隔を変更することができる。これにより、乗員に、楽に操舵操作を行うことができる姿勢や、旋回時の姿勢保持性に優れた姿勢をとらせることができるため、乗員の姿勢保持性を向上させることができる。【００５８】
例えば、乗員は、操舵操作を行う際、腰椎を左右方向に折り曲げて、車両旋回方向内側の肩と骨盤との距離を、車両旋回方向外側の肩と骨盤との距離よりも短くすることができる。この動きは、骨盤と肩部の角運動量保存の法則からみて最適な動きとなるため、乗員の操舵操作性が向上する。しかも、間隔変更手段により乗員肩部と乗員骨盤との間隔を変更することで、乗員は、腕の筋肉だけでなく、腕の筋肉よりも大きく持久力の高い体幹筋も使って、ステアリングを回動させることができるため、操舵操作に伴う腕、肩及び首の筋肉の疲れが軽減され、楽に操舵操作を行うことができる。【００５９】
また、乗員は、車両が旋回している間も、間隔変更手段により乗員肩部と乗員骨盤との間隔を変更させた姿勢を保持することができる。このため、乗員は、車両旋回方向外側の体幹側方筋が伸びるとともに、車両旋回方向内側の体幹側方筋が縮み、横方向の剛性が高まる。これにより、乗員は、大きなサイドサポートに頼らなくても、車両旋回方向外側に向かう横力に耐えることができるため、シートの軽量化及びコンパクト化を図ることができる。【００６０】
また、操舵操作の度に、間隔変更手段により乗員肩部と乗員骨盤との間隔を変更することで、体幹筋を使って腰椎を折り曲げる腰部の運動が行われるため、乗員は、運転中であっても腰部の運動が行うことができる。これにより、体幹筋の筋力低下が抑制されることから、体幹筋の筋力低下に伴う腰痛などの疾病を抑制することができる。また、腰部周りの血行が促進されることから、腰部周りの血行不良に伴う内蔵機能低下などの疾病を抑制することができる。このようなことから、車両を運転することで健康促進を図ることができる。【００６１】
本発明に係る車両用シート装置は、座部と、座部の後側に配置されたシートバックとを有する車両用シート装置であって、車両用シート装置の上面視において座部を回動させる座部回動手段と、車両用シート装置の上面視においてシートバックを回動させるシートバック回動手段と、を有し、座部回動手段及びシートバック回動手段は、上面視において座部とシートバックとを逆方向に回動させる。【００６２】
本発明に係る車両用シート装置によれば、座部回動手段及びシートバック回動手段により、車両用シート装置の上面視において座部とシートバックとを逆方向に回動させることで、車両用シート装置の上面視において乗員骨盤と乗員肩部とを逆方向に回動させて、乗員の腰椎を捻ることができる。これにより、乗員に、楽に操舵操作を行うことができる姿勢や、旋回時の姿勢保持性に優れた姿勢をとらせることができるため、乗員の姿勢保持性を更に向上させることができる。【００６３】
例えば、乗員は、操舵操作を行う際、腰椎を捻って、上面視において、乗員骨盤を車両旋回方向の反対方向に回転させ、乗員肩部を車両旋回方向に回転させることができる。この動きは、骨盤と肩部の角運動量保存の法則からみて最適な動きとなるため、乗員の操舵操作性が更に向上する。しかも、座部回動手段及びシートバック回動手段により乗員骨盤と乗員肩部とを逆方向に回転させることで、乗員は、腕の筋肉だけでなく、腕の筋肉よりも大きく持久力の高い体幹筋も使って、ステアリングを回動させることができるため、操舵操作に伴う腕、肩及び首の筋肉の疲れが軽減され、楽に操舵操作を行うことができる。【００６４】
また、乗員は、車両が旋回している間も、座部回動手段及びシートバック回動手段により乗員骨盤と乗員肩部とを逆方向に回転させた姿勢を保持することができる。このため、乗員は、体幹筋が捻れることで、横方向の剛性が高まる。これにより、乗員は、大きなサイドサポートに頼らなくても、車両旋回方向外側に向かう横力に耐えることができるため、シートの軽量化及びコンパクト化を図ることができる。【００６５】
また、操舵操作の度に、座部回動手段及びシートバック回動手段により乗員骨盤と乗員肩部とを逆方向に回転させることで、体幹筋を使って腰椎を捻る腰部の運動が行われるため、乗員は、運転中であっても腰部の運動が行うことができる。これにより、体幹筋の筋力低下が抑制されることから、体幹筋の筋力低下に伴う腰痛などの疾病を抑制することができる。また、腰部周りの血行が促進されることから、腰部周りの血行不良に伴う内蔵機能低下などの疾病を抑制することができる。このようなことから、車両を運転することで健康促進を図ることができる。
【発明の効果】
【００６６】
本発明によれば、旋回時の乗員姿勢保持を容易にすることができる。
【図面の簡単な説明】
【００６７】
【図１】車両の右旋回時にドライバがとるべき体幹の動きを示した図である。
【図２】車両の左旋回時にドライバがとるべき体幹の動きを示した図である。
【図３】第一の実施形態に係る車両用シート装置の概略側面図である。
【図４】第一の実施形態に係る車両用シート装置の概略正面図である。
【図５】第一の実施形態に係る車両用シート装置の概略平面図である。
【図６】第一の実施形態に係る車両用シート装置の概略斜視図である。
【図７】正面視において座部支持機構の回転軸が右回りに回動した車両用シート装置の概略側面図である。
【図８】正面視において座部支持機構の回転軸が右回りに回動した車両用シート装置の概略正面図である。
【図９】正面視において座部支持機構の回転軸が右回りに回動した車両用シート装置の概略平面図である。
【図１０】正面視において座部支持機構の回転軸が左回りに回動した車両用シート装置の概略側面図である。
【図１１】正面視において座部支持機構の回転軸が左回りに回動した車両用シート装置の概略正面図である。
【図１２】正面視において座部支持機構の回転軸が左回りに回動した車両用シート装置の概略平面図である。
【図１３】人体の上半身における骨格を示した側面図である。
【図１４】人体の上半身を示した背面図である。
【図１５】筋肉による横方向の支持反力を説明するための図である。
【図１６】第二の本実施形態に係る車両用シート装置の概略側面図である。
【図１７】第三の本実施形態に係る車両用シート装置の概略側面図である。
【発明を実施するための形態】
【００６８】
以下、図面を参照して、本発明に係る車両用シート装置の実施の形態を説明する。なお、各図において同一又は相当する要素については同一の符号を付し、重複する説明を省略する。
【００６９】
本実施形態に係る車両用シート装置は、車両に搭載されて車両のドライバが着座する運転席である。このため、本実施形態に係る車両用シート装置の前後方向、上下方向、左右方向は、車両の前後方向、上下方向、左右方向と同様であり、本実施形態の説明に記載する上下、左右及び前後の方向は、車両及び車両用シート装置の方向を意味する。なお、本実施形態では、運転席の車両用シート装置について説明するが、助手席などの運転席以外の車両用シート装置であってもよい。
【００７０】
まず、図１及び図２を参照して、本実施形態に係る車両用シート装置を説明する前に、ドライバが操舵操作を行う際の理想的な動きについて説明する。図１は、車両の右旋回時にドライバがとるべき体幹の動きを示した図であり、（ａ）は、ドライバの平面図、（ｂ）は、ドライバの背面図を示している。図２は、車両の左旋回時にドライバがとるべき体幹の動きを示した図であり、（ａ）は、ドライバの平面図、（ｂ）は、ドライバの背面図を示している。
【００７１】
車両を旋回させようとするドライバは、肩から繋がる腕でステアリングを旋回方向に回転させる操舵操作を行う。この操舵操作において、ドライバは、肩部を車両のロール方向に回動して、旋回方向内側（旋回方向と同方向側）の肩部を、旋回方向外側（旋回方向と逆方向側）の肩部に対して車両用シート装置の上下方向において相対的に下方に移動させるとともに、肩部を車両のヨー方向に回動して、旋回方向内側の肩部を、旋回方向外側の肩部に対して車両用シート装置の前後方向において相対的に後方に移動させる。そして、ドライバは、車両の旋回が終わるまでの間、この姿勢を保持している。ここで、肩部とは、肩甲骨から肩に至る体の部分を言う。
【００７２】
しかしながら、骨盤と両肩の角運動量保存の法則を考えると、車両を右旋回させようとするドライバは図１に示す姿勢をとり、車両を左旋回させようとするドライバは図２に示す姿勢をとることで、楽に操舵操作を行い、その姿勢を保持することができる。
【００７３】
図１（ａ）及び図２（ａ）に示す姿勢は、腰椎を折り曲げて、車両旋回方向内側における骨盤と肩部との距離を車両旋回方向外側における骨盤と肩部との距離よりも短くした姿勢となる。この姿勢は、腰椎を軸として、骨盤と肩部とを車両のロール方向において逆方向に移動させた姿勢であり、ロール方向における骨盤と肩部の角運動量保存の法則からみて最適な姿勢である。なお、ロール方向における骨盤と肩部の角運動量保存の法則は、ロール方向の慣性能率をＩｒとし、角速度をωとすると、下記の式（１）で表される。
Ｉｒω＝ｃｏｎｓｔａｎｔ  …（１）
【００７４】
図１（ｂ）及び図２（ｂ）に示す姿勢は、腰椎を捻り、骨盤と肩部とを逆方向に回動させた姿勢となる。この姿勢は、腰椎を軸として、骨盤と肩部とを車両のヨー方向において逆方向に移動させた姿勢であり、ヨー方向における骨盤と肩部の角運動量保存の法則からみて最適な姿勢である。なお、ヨー方向における骨盤と肩部の角運動量保存の法則は、ヨー方向の慣性能率をＩｙとし、角速度をωとすると、下記の式（２）で表される。
Ｉｙω＝ｃｏｎｓｔａｎｔ  …（２）
【００７５】
そこで、本実施形態に係る車両用シート装置は、ドライバの骨盤及び肩甲骨を回動自在にすることで、車両の旋回時に、ドライバが図１及び図２に示す姿勢をとることを可能とするものである。
【００７６】
以下に、本実施形態に係る車両用シート装置について詳しく説明する。
【００７７】
［第一の実施形態］
図３は、第一の実施形態に係る車両用シート装置の概略側面図である。図４は、第一の実施形態に係る車両用シート装置の概略正面図である。図５は、第一の実施形態に係る車両用シート装置の概略平面図である。図６は、第一の実施形態に係る車両用シート装置の概略斜視図である。なお、図面では、車両用シート装置の構造をわかりやすくするために、緩衝材などの部材を省略している。
【００７８】
図３〜６に示すように、本実施形態に係る車両用シート装置１は、車両のフロアＦに固定されたレール２に、シートフレーム３が車両の前後方向において摺動可能に取り付けられている。
【００７９】
シートフレーム３は、レール２に摺動可能に取り付けられて車両のフロアＦと略平行に配置される第一シートフレーム部４と、第一シートフレーム部４から立設されてヘッドレスト６が取り付けられる第二シートフレーム部５と、を備えている。なお、第二シートフレーム部５は、リクライニング機構により、第一シートフレーム部４に対して傾動可能に取り付けられている。
【００８０】
そして、第一シートフレーム部４には、座部７を回動自在に支持する座部支持機構９が取り付けられており、第二シートフレーム部５には、シートバック８を回動自在に支持するシートバック支持機構１２が取り付けられている。
【００８１】
座部７は、主にドライバの骨盤及び大腿骨が載置されるものである。なお、図面では、座部７を平板状に描いているが、座部７の形状は特に限定されるものではなく、人間工学的な観点や工業的な観点から様々なデザインが施されてもよい。
【００８２】
シートバック８は、座部７の後側に配置されて、主にドライバの肩甲骨をもたれ掛けさせるものである。なお、図面では、シートバック８を平板状に描いているが、シートバック８の形状は特に限定されるものではなく、人間工学的な観点や工業的な観点から様々なデザインが施されてもよい。
【００８３】
図７は、正面視において座部支持機構の回転軸が右回りに回動した車両用シート装置の概略側面図である。図８は、正面視において座部支持機構の回転軸が右回りに回動した車両用シート装置の概略正面図である。図９は、正面視において座部支持機構の回転軸が右回りに回動した車両用シート装置の概略平面図である。図１０は、正面視において座部支持機構の回転軸が左回りに回動した車両用シート装置の概略側面図である。図１１は、正面視において座部支持機構の回転軸が左回りに回動した車両用シート装置の概略正面図である。図１２は、正面視において座部支持機構の回転軸が左回りに回動した車両用シート装置の概略平面図である。
【００８４】
図３〜図１２に示すように、座部支持機構９は、第一シートフレーム部４の先端から車両用シート装置１の前方かつ上方に向けて延びる座部支持機構取付部４ａに取り付けられている。この座部支持機構９は、座部７を回動自在に支持するために、第一シートフレーム部４に固定されるスラスト軸受１０と、座部７に固定されてスラスト軸受１０に回転自在に連結されるスラスト軸１１と、を備える。このため、座部支持機構９による座部７の回転軸Ａは、スラスト軸１１の回転軸と一致する。
【００８５】
回転軸Ａは、車両用シート装置１の前後方向において前方よりも後方が高くなるとともに、車両用シート装置１に着座したドライバの腰部付近を通るように設定されている。このため、座部７及び座部７に載置されるドライバの骨盤は、回転軸Ａを中心として車両のロール方向及びヨー方向に回動することが可能となっている。なお、腰部とは、腰椎や腰椎の周囲の体幹筋などを含む体の部分を言い、腰部付近とは、腰部及び腰部の周囲の部分を言う。
【００８６】
座部７の回転軸Ａの設定は、例えば、座部支持機構９が取り付けられる座部支持機構取付部４ａの傾斜角度の設定により行うことができる。そして、座部支持機構９を、座部支持機構取付部４ａの左右方向中央部に取り付けることで、ドライバの椎骨（腰椎）上に回転軸Ａを通すことができる。
【００８７】
そして、図７〜図９に示すように、車両用シート装置１の正面視において、座部支持機構９のスラスト軸１１が回転軸Ａを中心として右回り（時計回り）に回動すると、座部７は、回転軸Ａを中心として車両のロール方向及びヨー方向に回動して、以下のような姿勢となる。
【００８８】
すなわち、座部７は、回転軸Ａを中心として車両のロール方向に回動することで、座部７の右側が、座部７の左側に対して車両用シート装置１の上下方向において相対的に上方に移動した姿勢となる。これにより、座部７に着座したドライバは、骨盤が回転軸Ａを中心として車両のロール方向に回動して、骨盤の右側が、骨盤の左側に対してドライバの上下方向において相対的に上方に移動した姿勢となる。なお、本実施形態では、このように座部７及び骨盤が回転軸Ａを中心として車両のロール方向に回動することを、“ロール方向において時計回りに回動する”という。この“時計回り”とは、図８に示すように、車両用シート装置１の正面視における座部７の回動方向を意味する。
【００８９】
また、座部７は、回転軸Ａを中心として車両のヨー方向に回動することで、座部７の右側が、座部７の左側に対して車両用シート装置１の前後方向において相対的に前方に移動した姿勢となる。これにより、座部７に着座したドライバは、骨盤が回転軸Ａを中心として車両のヨー方向に回動して、骨盤の右側が、骨盤の左側に対してドライバの前後方向において相対的に前方に移動した姿勢となる。なお、本実施形態では、このように座部７及び骨盤が回転軸Ａを中心として車両のヨー方向に回動することを、“ヨー方向において反時計回りに回動する”という。この“反時計回り”とは、図９に示すように、車両用シート装置１の平面視における座部７の回動方向を意味する。
【００９０】
一方、図１０〜図１２に示すように、車両用シート装置１の正面視において、座部支持機構９のスラスト軸１１が回転軸Ａを中心として左回り（反時計回り）に回動すると、座部７は、回転軸Ａを中心として車両のロール方向及びヨー方向に回動して、以下のような姿勢となる。
【００９１】
すなわち、座部７は、回転軸Ａを中心として車両のロール方向に回動することで、座部７の左側が、座部７の右側に対して車両用シート装置１の上下方向において相対的に上方に移動した姿勢となる。これにより、座部７に着座したドライバは、骨盤が回転軸Ａを中心として車両のロール方向に回動して、骨盤の左側が、骨盤の右側に対してドライバの上下方向において相対的に上方に移動した姿勢となる。なお、本実施形態では、このように座部７及び骨盤が回転軸Ａを中心として車両のロール方向に回動することを、“ロール方向において反時計回りに回動する”という。この“反時計回り”とは、図１１に示すように、車両用シート装置１の正面視における座部７の回動方向を意味する。
【００９２】
また、座部７は、回転軸Ａを中心として車両のヨー方向に回動することで、座部７の左側が、座部７の右側に対して車両用シート装置１の前後方向において相対的に前方に移動した姿勢となる。これにより、座部７に着座したドライバは、骨盤が回転軸Ａを中心として車両のヨー方向に回動して、骨盤の左側が、骨盤の右側に対してドライバの前後方向において相対的に前方に移動した姿勢となる。なお、本実施形態では、このように座部７及び骨盤が回転軸Ａを中心として車両のヨー方向に回動することを、“ヨー方向において時計回りに回動する”という。この“時計回り”とは、図１２に示すように、車両用シート装置１の平面視における座部７の回動方向を意味する。
【００９３】
ここで、図１３を参照して、座部７の回転軸Ａの設定角度について説明する。図１３は、人体の上半身における骨格を示した側面図である。図１３に示すように、脊椎は、椎間板を介して連結される複数の椎骨で構成されており、側面視においてＳ字状に湾曲している。この脊椎の一部を構成する腰椎は、骨盤の仙骨（「仙椎」ともいう）の上方に連結された５つの椎骨で構成されており、骨盤の仙骨から後傾しながら上方に延びている。この腰椎を構成する各椎骨は、それぞれ、上からＬ１〜Ｌ５と呼ばれている。そして、腰椎を構成する各椎骨を連結する椎間板により、腰椎を折り曲げたり捻ったりすることが可能となっている。このため、腰椎を捻る動きとしては、椎間板を通り且つ椎間板の面に直交する軸を回転軸とするのが、最も楽な動きとなる。
【００９４】
ドライバが車両用シート装置１に着座した姿勢において、腰椎の椎間板の面に直交する軸は、鉛直線Ｖに対する傾斜角度θ１が４５°前後の範囲となる。しかしながら、鉛直線Ｖに対する回転軸Ａの傾斜角度が小さいと、ドライバの足が回転軸Ａから大きく離れるため、座部７の回動によりドライバの足（特に膝部分）がバタつくことがある。このため、鉛直線Ｖに対する回転軸Ａの傾斜角度を大きくして、座部７及び骨盤の変動（回動）をヨー方向よりもロール方向に大きくした方が、操舵操作がし易くなるとともに、旋回時の姿勢保持が楽になる。
【００９５】
そこで、回転軸Ａの鉛直線Ｖに対する傾斜角度θ１は、鉛直線Ｖに対して６０°±１５°の範囲に設定することが好ましい。すなわち、この傾斜角度θ１は、４５°以上７５°以下の範囲とすることができる。この場合、この傾斜角度θ１を、５０°以上７０°以下の範囲としてもよく、５５°以上６５°以下の範囲としてもよい。
【００９６】
更に、腰椎の捻りを楽に行わせる観点から、例えば、腰椎を構成するＬ４又はＬ５の椎骨を回転軸Ａが通るように設定することができる。
【００９７】
また、車両用シート装置１には、座部７の回動によりドライバが座部７から落下しないように、座部支持機構９による座部７の回動角度範囲を規制する座部用規制機構（不図示）が取り付けられている。座部用規制機構は、例えば、座部支持機構９や、第一シートフレーム部４や、フロアＦなど様々な場所に取り付けることができる。座部用規制機構による座部７の回動角度規制範囲は、例えば、右回り及び左回りにそれぞれ１０°以下に設定することができる。この場合、例えば、座部７の回動角度規制範囲を、右回り及び左回りにそれぞれ２．５°、５°１０°などのように段階的に変更できるようにしてもよく、座部７の回動角度規制範囲を線形的に変更できるようにしてもよい。
【００９８】
図３〜図１２に示すように、シートバック支持機構１２は、シートバック８を回動自在に支持するために、第二シートフレーム部５に固定されるスラスト軸受１３と、シートバック８に固定されてスラスト軸受１３に回転自在に連結されるスラスト軸１４と、を備える。このため、シートバック支持機構１２によるシートバック８の回転軸Ｂは、スラスト軸１４の回転軸と一致する。
【００９９】
シートバック８の回転軸Ｂは、車両用シート装置１の前後方向と平行（水平）であって、車両用シート装置１に着座したドライバの胸部付近を通るように設定されている。このため、シートバック８及びシートバック８にもたれ掛かったドライバの肩甲骨は、回転軸Ｂを中心として車両のロール方向に回動することが可能となっている。なお、胸部とは、胸椎や胸椎の周囲の筋肉などを含むからだの部分を言い、胸部付近とは、胸部及び胸部の周囲の部分を言う。
【０１００】
シートバック８の回転軸Ｂの高さは、第二シートフレーム部５に対するシートバック支持機構１２の取り付け位置により調整することができる。この場合、図面に示したように、第二シートフレーム部５に、車両用シート装置１の上下方向に延びるスライドレール１５が取り付け、このスライドレール１５を介して、第二シートフレーム部５に対して車両用シート装置１の上下方向に摺動可能に取り付けることができる。これにより、ドライバの体格の違いに対応して、シートバック８に肩甲骨をもたれ掛けさせることができ、容易に、車両用シート装置１に着座したドライバの胸部付近に回転軸Ｂが通るように設定することができる。そして、シートバック支持機構１２を、第二シートフレーム部５における左右方向中央部に取り付けることで、ドライバの椎骨（胸椎）上に回転軸Ｂを通すことができる。
【０１０１】
そして、図７〜図９に示すように、車両用シート装置１の正面視において、シートバック支持機構１２のスラスト軸１４が回転軸Ｂを中心として左回りに回動すると、シートバック８は、回転軸Ｂを中心として車両のロール方向に回動し、以下のような姿勢となる。
【０１０２】
すなわち、シートバック８は、回転軸Ｂを中心として車両のロール方向に回動することで、シートバック８の右側が、シートバック８の左側に対して車両用シート装置１の上下方向において相対的に下方に移動した姿勢となる。これにより、シートバック８に着座したドライバは、肩甲骨が回転軸Ｂを中心として車両のロール方向に回動して、肩甲骨の右側が、肩甲骨の左側に対してドライバの上下方向において相対的に下方に移動した姿勢となる。なお、本実施形態では、このようにシートバック８及び肩甲骨が回転軸Ｂを中心として車両のロール方向に回動することを、“ロール方向において反時計回りに回動する”という。この“反時計回り”とは、図８に示すように、車両用シート装置１の正面視におけるシートバック８の回動方向を意味する。
【０１０３】
一方、図１０〜図１２に示すように、車両用シート装置１の正面視において、シートバック支持機構１２のスラスト軸１４が回転軸Ｂを中心として右回りに回動すると、シートバック８は、回転軸Ｂを中心として車両のロール方向に回動し、以下のような姿勢となる。
【０１０４】
すなわち、シートバック８は、回転軸Ｂを中心として車両のロール方向に回動することで、シートバック８の左側が、シートバック８の右側に対して車両用シート装置１の上下方向において相対的に下方に移動した姿勢となる。これにより、シートバック８に着座したドライバは、肩甲骨が回転軸Ｂを中心として車両のロール方向に回動し、肩甲骨の左側が、肩甲骨の右側に対してドライバの上下方向において相対的に下方に移動した姿勢となる。なお、本実施形態では、このようにシートバック８及び肩甲骨が回転軸Ｂを中心として車両のロール方向に回動することを、“ロール方向において時計回りに回動する”という。この“時計回り”とは、図１１に示すように、車両用シート装置１の正面視におけるシートバック８の回動方向を意味する。
【０１０５】
また、車両用シート装置１には、シートバック支持機構１２によるシートバック８の回動角度範囲を規制するシートバック用規制機構（不図示）を備えることが好ましい。シートバック用規制機構は、例えば、シートバック支持機構１２や、第二シートフレーム部５や、フロアＦなど様々な場所に取り付けることができる。シートバック用規制機構によるシートバック８の回動角度規制範囲は、例えば、右回り及び左回りにそれぞれ１０°以下に設定することができる。この場合、例えば、シートバック８の回動角度規制範囲を、右回り及び左回りにそれぞれ２．５°、５°１０°などのように段階的に変更できるようにしてもよく、シートバック８の回動角度規制角度を線形的に変更できるようにしてもよい。
【０１０６】
次に、車両用シート装置１の作用について説明する。
【０１０７】
上述したように、操舵操作を行うドライバは、ステアリングを回動するために、旋回方向内側の肩部を、旋回方向外側の肩部に対して車両用シート装置１の上下方向において相対的に下方に移動させるとともに、旋回方向内側の肩部を、旋回方向外側の肩部に対して車両用シート装置１の前後方向において相対的に後方に移動させる。このとき、骨盤と肩部との角運動量保存の法則から、腰椎を折り曲げて、車両旋回方向内側における骨盤と肩部との距離を車両旋回方向外側における骨盤と肩部との距離よりも短くするとともに、腰椎を捻り、骨盤を肩部と逆方向に回動させた方が、操舵操作を楽に行うことができる。これは、人の運動が腰部を起点に発生することに起因するものであり、人が経験的に習得した自然な動作である。
【０１０８】
本実施形態に係る車両用シート装置１は、座部７及びシートバック８が回動自在に支持されていることから、操舵操作を行うドライバは、意識的に又は無意識的に、このような自然で楽な姿勢をとることができる。
【０１０９】
具体的に説明すると、車両を右旋回させようとするドライバは、意識的に又は無意識的に、骨盤と肩部とを逆方向に回動させようとする。すなわち、ドライバは、体幹筋を使って腰椎を折り曲げ、骨盤をロール方向において時計回りに回動させるとともに、肩部をロール方向において反時計回りに回動させようとする。また、ドライバは、体幹筋を使って腰部を捻り、骨盤をヨー方向において反時計回りに回動させようとする。すると、図７〜図９に示すように、座部７は、骨盤の動きに合わせて、ロール方向において時計回り（図８参照）及びヨー方向において反時計回り（図９参照）に回動し、シートバック８は、肩部の動きに伴う肩甲骨の動きに合わせて、ロール方向において反時計回り（図８参照）に回動する。これにより、ドライバの姿勢が、図１に示す姿勢となるため、ドライバは、骨盤と肩部の角運動量保存の法則により、車両を右旋回させる操舵操作を楽に行うことができる。なお、車両を右旋回させようとするドライバが骨盤と肩部とを逆方向に移動させるのは、ステアリングを回動させる操舵操作を行う直前であってもよく、操舵操作と同時に行ってもよく、操舵操作に遅れて行ってもよい。
【０１１０】
更に、ドライバは、車両の右旋回が終了するまでの間、図１に示す姿勢を保持することができる。
【０１１１】
一方、車両を左旋回させようとするドライバは、意識的に又は無意識的に、骨盤と肩部とを逆方向に回動させようとする。すなわち、ドライバは、体幹筋を使って腰椎を折り曲げ、骨盤を、ロール方向において反時計回りに回動させるとともに、肩部をロール方向において時計回りに回動させようとする。また、ドライバは、体幹筋を使って腰部を捻り、骨盤をヨー方向において時計回りに回動させようとする。すると、図１０〜図１２に示すように、座部７は、骨盤の動きに合わせて、ロール方向において反時計回り（図１１参照）及びヨー方向において時計回り（図１２参照）に回動し、シートバック８は、肩甲骨の動きに合わせて、ロール方向において時計回り（図１１参照）に回動する。これにより、ドライバの姿勢が、図２に示す姿勢となるため、ドライバは、骨盤と肩部の角運動量保存の法則により、車両を左旋回させる操舵操作を楽に行うことができる。なお、車両を左旋回させようとするドライバが骨盤と肩部とを逆方向に移動させるのは、ステアリングを回動させる操舵操作を行う直前であってもよく、操舵操作と同時に行ってもよく、操舵操作に遅れて行ってもよい。
【０１１２】
更に、ドライバは、車両の左旋回が終了するまでの間、図２に示す姿勢を保持することができる。
【０１１３】
ここで、図１４及び図１５を参照して、車両の旋回時にドライバが図１及び図２に示す姿勢をとった場合の、力学的な考察について説明する。図１４は、人体の上半身を示した背面図である。図１５は、筋肉による横方向の支持反力を説明するための図である。そして、図１４（ａ）及び図１５（ａ）は、脊椎が真っ直ぐに伸びた状態を示しており、図１４（ｂ）及び図１５（ｂ）は、骨盤が車両のロール方向に回動して脊椎がＳ字状に湾曲した状態を示している。
【０１１４】
体幹筋は、外力に対して体を支持するための支持ばねとして作用する。ところが、骨盤が固定されていると、図１４（ａ）に示すように、骨盤と肩部とが平行になって脊椎が真っ直ぐに伸びるため、図１５（ａ）に示すように、体幹筋が横方向に対する支持ばねとして殆ど機能せず、人体の横方向の剛性が小さくなる。これは、筋肉は縮む方向にしか筋力が働かない性質によるものである。このため、車両の旋回時などにおいてドライバに横力Ｆが作用すると、ドライバは自らの筋力でこの横力Ｆに耐えることができない。その結果、横力Ｆを受けたドライバを支えるための大きなサイドサポートが必要になる。
【０１１５】
これに対し、骨盤が回動すると、図１４（ｂ）に示すように、ドライバの脊椎がＳ字状に湾曲し、一方側の骨盤と肩部との距離が縮まるとともに、他方側の骨盤と肩部との距離が広がる。図１５（ｂ）に示すように、一方側の体幹筋による支持ばねの力をＫ’、他方側の体幹筋による支持ばねの力をＫ、腰椎の鉛直線に対する回動角度をθとすると、ドライバには、体幹筋による横方向の支持ばねとして、（Ｋ’＋Ｋ）ｓｉｎθの力が働く。これにより、横力Ｆに対する支持反力が格段に増加して、人体の横方向の剛性が高くなるため、大きなサイドサポートがなくても、ドライバは自らの筋力でこの横力Ｆに耐えることができる。
【０１１６】
なお、左右における肩甲骨と骨盤との間隔が変わる場合だけでなく、上面視において骨盤と肩甲骨とが逆方向に回動する場合も、体幹筋が捻れることにより、ドライバの横方向の剛性が高くなる。
【０１１７】
以上説明したように、本実施形態に係る車両用シート装置１によれば、座部支持機構９により座部７が回動自在に保持されているため、ドライバは、腰椎を左右方向に折り曲げて、骨盤の右側と左側とを車両用シート装置１の上下方向に相対的に移動させることができる。これにより、ドライバは、意識的に又は無意識的に、楽に操舵操作を行うことができる姿勢や、旋回時の姿勢保持性に優れた姿勢をとることができるため、ドライバの姿勢保持性を向上させることができる。
【０１１８】
すなわち、ドライバは、操舵操作を行う際に、腰椎を左右方向に折り曲げて、車両旋回方向内側の骨盤を、車両旋回方向外側の骨盤に対して車両用シート装置１の上下方向において相対的に上方に移動させることができる。この動きは、骨盤と肩部の角運動量保存の法則からみて最適な動きとなるため、ドライバの操舵操作性が向上する。しかも、ドライバは、このように腰椎を左右方向に折り曲げて骨盤を移動させることで、腕の筋肉だけでなく、腕の筋肉よりも大きく持久力の高い体幹筋も使って、ステアリングを回動させることができるため、操舵操作に伴う腕、肩及び首の筋肉の疲れが軽減され、楽に操舵操作を行うことができる。
【０１１９】
また、ドライバは、車両が旋回している間も、腰椎を左右方向に折り曲げて骨盤を移動させた姿勢を保持することができる。このため、ドライバは、車両旋回方向外側の体幹側方筋が伸びるとともに、車両旋回方向内側の体幹側方筋が縮み、横方向の剛性が高まる。これにより、ドライバは、大きなサイドサポートに頼らなくても、車両旋回方向外側に向かう横力に耐えることができるため、シートの軽量化及びコンパクト化を図ることができる。
【０１２０】
また、ドライバは、操舵操作の度に、体幹筋を使って骨盤を動かす腰部の運動を行うことができるため、運転中であっても腰部の運動を行うことができる。これにより、体幹筋の筋力低下が抑制されるため、体幹筋の筋力低下に伴う腰痛などの疾病を抑制することができる。また、腰部周りの血行が促進されることから、腰部周りの血行不良に伴う内蔵機能低下などの疾病を抑制することができる。このようなことから、車両を運転することで健康促進を図ることができる。
【０１２１】
そして、座部支持機構９により、回転軸Ａを中心として座部７を車両のロール方向において回動自在に支持することで、操舵操作時にドライバの骨盤を自然に移動させることができる。これにより、体幹筋を使って骨盤を動かす腰部の運動を円滑に行うことができる。
【０１２２】
また、座部支持機構９により座部７が回動自在に保持されているため、ドライバは、腰椎を捻って、骨盤の右側と左側とを車両用シート装置１の前後方向に相対的に移動させることができる。これにより、ドライバは、意識的に又は無意識的に、楽に操舵操作を行うことができる姿勢や、旋回時の姿勢保持性に優れた姿勢をとることができるため、ドライバの姿勢保持性を更に向上させることができる。
【０１２３】
すなわち、ドライバは、操舵操作を行う際に、腰椎を捻って、骨盤の車両旋回方向内側を、骨盤の車両旋回方向外側に対して車両用シート装置１の前後方向において相対的に前方に移動させることができる。この動きは、骨盤と肩部の角運動量保存の法則からみて最適な動きとなるため、ドライバの操舵操作性を更に向上させることができる。
【０１２４】
そして、座部支持機構９により、回転軸Ａを中心として座部７を車両のヨー方向において回動自在に支持することで、操舵操作時にドライバの骨盤を自然に移動させることができる。これにより、体幹筋を使って骨盤を動かす腰部の運動を円滑に行うことができる。
【０１２５】
また、座部７の回転軸Ａが、車両用シート装置１の前後方向において前方よりも後方が高く設定されているため、腰椎の折り曲げや腰椎の捻りが行い易くなる。これにより、ドライバの操舵操作性を更に向上させることができる。
【０１２６】
また、車両用シート装置１に着座したドライバの腰部付近に座部７の回転軸Ａを通すことで、腰椎の折り曲げや腰椎の捻りを更に行い易くすることができる。これにより、ドライバの操舵操作性を更に向上させることができる。
【０１２７】
また、シートバック支持機構１２によりシートバック８が回動自在に保持されているため、ドライバは、腰椎を左右方向に折り曲げて、肩甲骨の右側と左側とを車両用シート装置１の上下方向に相対的に移動させることができる。このため、ドライバは、意識的に又は無意識的に、楽に操舵操作を行うことができる姿勢や、旋回時の姿勢保持性に優れた姿勢をとることができるため、ドライバの操舵操作性を更に向上させることができる。
【０１２８】
そして、シートバック支持機構１２により、回転軸Ｂを中心としてシートバック８を車両のロール方向において回動自在に支持することで、操舵操作時にドライバの肩甲骨を自然に移動させることができる。これにより、体幹筋を使って肩甲骨を動かす腰部の運動を円滑に行うことができる。
【０１２９】
また、車両用シート装置１に着座したドライバの胸部付近にシートバック８の回転軸Ｂを通すことで、腰椎の折り曲げや腰椎の捻りを更に行い易くすることができる。これにより、ドライバの操舵操作性を更に向上させることができる。
【０１３０】
［第二の実施形態］
次に、第二の実施形態について説明する。第二の実施形態に係る車両用シート装置は、基本的に、第一の実施形態に係る車両用シート装置と同様であるが、シートバックを回動自在に支持するシートバック支持機構が、第一の実施形態に係る車両用シート装置と相違する。このため、以下では、第１の実施形態に係る車両用シート装置と相違する部分のみを説明し、第１の実施形態に係る車両用シート装置と同様の部分の説明を省略する。
【０１３１】
図１６は、第二の実施形態に係る車両用シート装置の概略側面図である。図１６に示すように、第二の実施形態に係る車両用シート装置２１は、シートバック８を回動自在に支持するシートバック支持機構２２が設けられている。
【０１３２】
シートバック支持機構２２は、シートバック８を回動自在に支持するために、第二シートフレーム部５に固定されるスラスト軸受２３と、シートバック８に固定されてスラスト軸受２３に回転自在に連結されるスラスト軸２４と、を備える。このため、シートバック支持機構２２によるシートバック８の回転軸Ｃは、スラスト軸２４の回転軸と一致する。
【０１３３】
シートバック８の回転軸Ｃは、車両用シート装置２１の前後方向において前方よりも後方が高くなるとともに、車両用シート装置２１に着座したドライバの胸部付近を通るように設定されている。このため、シートバック８及びシートバック８にもたれ掛ったドライバの肩甲骨は、回転軸Ｃを中心として車両のロール方向及びヨー方向に回動することが可能となっている。
【０１３４】
シートバック８の回転軸Ｃの設定は、第二シートフレーム部５に対するシートバック支持機構２２の取り付け位置と、第二シートフレーム部５に対するシートバック支持機構２２の取り付け角度により調整することができる。この場合、図面に示したように、第二シートフレーム部５に、車両用シート装置２１の上下方向に延びるスライドレール１５が取り付け、このスライドレール１５を介して、第二シートフレーム部５に対して車両用シート装置２１の上下方向に摺動可能に取り付けることができる。これにより、ドライバの体格の違いに対応して、シートバック８に肩甲骨をもたれ掛けさせることができ、容易に、車両用シート装置２１に着座したドライバの胸部付近に回転軸Ｃが通るように設定することができる。そして、シートバック支持機構２２を、第二シートフレーム部５における左右方向中央部に取り付けることで、ドライバの椎骨（胸椎）上に回転軸Ｂを通すことができる。
【０１３５】
なお、回転軸Ｃの鉛直線Ｖに対する傾斜角度θ２は、特に制限されるものではないが、車両用シート装置２１に着座したドライバの胸椎又は腰椎の椎間板に直交する方向に回転軸Ｃを向けてもよく、回転軸Ａと平行な方向に回転軸Ｃを向けてもよい。
【０１３６】
そして、車両用シート装置２１の正面視において、シートバック支持機構２２のスラスト軸２４が回転軸Ｃを中心として左回りに回動すると、シートバック８は、回転軸Ｃを中心として車両のロール方向及びヨー方向に回動し、以下のような姿勢となる。
【０１３７】
すなわち、シートバック８は、回転軸Ｃを中心として車両のロール方向に回動することで、シートバック８の右側が、シートバック８の左側に対して車両用シート装置２１の上下方向において相対的に下方に移動した姿勢となる。これにより、シートバック８に着座したドライバは、肩甲骨が回転軸Ｃを中心として車両のロール方向に回動して、肩甲骨の右側が、肩甲骨の左側に対してドライバの上下方向において相対的に下方に移動した姿勢となる。なお、本実施形態では、このようにシートバック８及び肩甲骨が回転軸Ｃを中心として車両のロール方向に回動することを、“ロール方向において反時計回りに回動する”という。この“反時計回り”とは、車両用シート装置２１の正面視におけるシートバック８の回動方向を意味する。
【０１３８】
また、シートバック８は、回転軸Ｃを中心として車両のヨー方向に回動することで、シートバック８の右側が、シートバック８の左側に対して車両用シート装置２１の前後方向において相対的に後方に移動した姿勢となる。これにより、シートバック８に着座したドライバは、肩甲骨が回転軸Ｃを中心として車両のヨー方向に回動して、肩甲骨の右側が、肩甲骨の左側に対してドライバの前後方向において相対的に後方に移動した姿勢となる。なお、本実施形態では、このようにシートバック８及び肩甲骨が回転軸Ｃを中心として車両のヨー方向に回動することを、“ヨー方向において時計回りに回動する”という。この“時計回り”とは、車両用シート装置２１の平面視におけるシートバック８の回動方向を意味する。
【０１３９】
一方、車両用シート装置２１の正面視において、シートバック支持機構２２のスラスト軸２４が回転軸Ｃを中心として右回りに回動すると、シートバック８は、回転軸Ｃを中心として車両のロール方向及びヨー方向に回動し、以下のような姿勢となる。
【０１４０】
すなわち、シートバック８は、回転軸Ｃを中心として車両のロール方向に回動することで、シートバック８の左側が、シートバック８の右側に対して車両用シート装置２１の上下方向において相対的に下方に移動した姿勢となる。これにより、シートバック８に着座したドライバは、肩甲骨が回転軸Ｃを中心として車両のロール方向に回動し、肩甲骨の左側が、肩甲骨の左側に対してドライバの上下方向において相対的に下方に移動した姿勢となる。なお、本実施形態では、このようにシートバック８及び肩甲骨が回転軸Ｃを中心として車両のロール方向に回動することを、“ロール方向において時計回りに回動する”という。この“時計回りと”は、車両用シート装置２１の正面視におけるシートバック８の回動方向を意味する。
【０１４１】
また、シートバック８は、回転軸Ｃを中心として車両のヨー方向に回動することで、シートバック８の左側が、シートバック８の右側に対して車両用シート装置２１の前後方向において相対的に前方に移動した姿勢となる。これにより、シートバック８に着座したドライバは、肩甲骨が回転軸Ｃを中心として車両のヨー方向に回動して、肩甲骨の左側が、肩甲骨の右側に対してドライバの前後方向において相対的に前方に移動した姿勢となる。なお、本実施形態では、このようにシートバック８及び肩甲骨が回転軸Ｃを中心として車両のヨー方向に回動することを、“ヨー方向において反時計回りに回動する”という。この“反時計回り”とは、車両用シート装置２１の平面視におけるシートバック８の回動方向を意味する。
【０１４２】
そして、車両用シート装置２１には、上面視において座部７とシートバック８とが逆方向に回動するように、座部支持機構９とシートバック支持機構２２の動きを規制する移動方向規制機構（不図示）を設けることが好ましい。上面視において座部７とシートバック８とが同方向に回動すると、ドライバは骨盤を動かすことができなくなる恐れがある。このため、車両用シート装置２１に移動方向規制機構を設け、ドライバの骨盤と肩部とが角運動量保存の法則からみて最適な動きとなるようにすることが好ましい。そして、車両用シート装置２１に移動方向規制機構を設けると、回転軸Ａを中心とした座部７及びドライバの骨盤のヨー方向における回動方向と、回転軸Ｃを中心としてシートバック８及びドライバの肩甲骨のヨー方向における回動方向とが、逆方向となる。このため、移動方向規制機構は、移動方向規制手段として機能する。なお、移動方向規制機構は、例えば、ギアやワイヤなどを用いることで容易に構成することが可能である。
【０１４３】
以上説明したように、本実施形態に係る車両用シート装置２１によれば、ドライバは、腰椎を左右方向に折り曲げて、肩甲骨の右側と左側とを車両用シート装置２１の前後方向に相対的に移動させることができる。これにより、ドライバは、意識的に又は無意識的に、楽に操舵操作を行うことができる姿勢や、旋回時の姿勢保持性に優れた姿勢をとることができる。
【０１４４】
しかも、座部７とシートバック８とは、上面視において逆方向に回動するため、ドライバは、常に、骨盤と肩部とをヨー方向において逆方向に回動させることができる。この姿勢は、骨盤と肩部の角運動量保存の法則からみて最適な動きとなるため、ドライバの操舵操作性を更に向上することができる。
【０１４５】
そして、シートバック支持機構２２により、回転軸Ｃを中心としてシートバック８を車両のヨー方向において回動自在に支持することで、操舵操作時にドライバの肩甲骨を自然に移動させることができる。これにより、体幹筋を使って肩甲骨を動かす腰部の運動を円滑に行うことができる。
【０１４６】
［第三の実施形態］
次に、第三の実施形態について説明する。第三の実施形態に係る車両用シート装置は、基本的に、第一の実施形態に係る車両用シート装置と同様であるが、座部及びシートバックを回動させる駆動装置が設けられている点で、第一の実施形態に係る車両用シート装置と相違する。このため、以下では、第１の実施形態に係る車両用シート装置と相違する部分のみを説明し、第１の実施形態に係る車両用シート装置と同様の部分の説明を省略する。
【０１４７】
図１７は、第三の実施形態に係る車両用シート装置の概略側面図である。図１７に示すように、第三の実施形態に係る車両用シート装置３１は、座部支持機構９により回動自在に支持されている座部７を回動駆動する座部回動駆動装置３２と、シートバック支持機構１２により回動自在に支持されているシートバック８を回動駆動するシートバック回動駆動装置３３と、が設けられている。
【０１４８】
座部回動駆動装置３２は、座部回動駆動装置３２は、例えば、座部支持機構９のスラスト軸受１０に内蔵させたステッピングモータなどにより構成することができる。上述したように、座部７は、回転軸Ａを中心として回動するため、座部回動駆動装置３２が座部７を回動駆動することにより、車両用シート装置３１に着座したドライバの骨盤は、回転軸Ａを中心として回動する。このため、座部回動駆動装置３２により回動される骨盤の回転軸は、座部７と同様に、車両用シート装置３１の前後方向において前方よりも後方が高く、車両用シート装置３１に着座したドライバの腰部付近を通るように設定されている。
【０１４９】
シートバック回動駆動装置３３は、シートバック回動駆動装置３３は、例えば、シートバック支持機構１２のスラスト軸受１３に内蔵させたステッピングモータなどにより構成することができる。上述したように、シートバック８は、回転軸Ｂを中心として回動するため、シートバック回動駆動装置３３がシートバック８を回動駆動することにより、車両用シート装置３１に着座したドライバの肩甲骨は、回転軸Ｂを中心として回動する。このため、シートバック回動駆動装置３３により回動される肩甲骨の回転軸は、シートバック８と同様に、車両用シート装置３１に着座したドライバの胸部付近を通るように設定されている。
【０１５０】
ＥＣＵ（Ｅｌｅｃｔｒｏｎｉｃ  Ｃｏｎｔｒｏｌ  Ｕｎｉｔ）３４は、電子制御を行うコンピュータであり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリ、及び入出力インターフェイスなどを備えて構成されている。
【０１５１】
ＥＣＵ３４は、車両の旋回を検出する機能を備えている。車両の旋回の検出は、例えば、電子地図情報から進行方向前方の道路情報を取得することや、ステアリングの操舵角度を検出することなどにより行うことができる。
【０１５２】
また、ＥＣＵ３４は、車両の旋回時に、座部回動駆動装置３２及びシートバック回動駆動装置３３を回動駆動制御する機能を備えている。ここで、車両の旋回時とは、例えば、車両が旋回する直前（ドライバがステアリングを回動する直前）、車両が旋回し始めたとき（ドライバがステアリングを回動し始めたとき）、車両が旋回している間（ドライバが回動したステアリングを保持している間）などがある。そして、ＥＣＵ３４は、これらのタイミングの少なくとも１つのタイミングにおいて、座部回動駆動装置３２及びシートバック回動駆動装置３３の回動駆動制御を行う。
【０１５３】
次に、ＥＣＵ３４が行う座部回動駆動装置３２及びシートバック回動駆動装置３３の回動駆動制御について説明する。
【０１５４】
ＥＣＵ３４は、車両が右旋回するのを検出すると、座部回動駆動装置３２及びシートバック回動駆動装置３３の回動駆動制御を行い、車両用シート装置３１の正面視において、回転軸Ａを中心として座部支持機構９のスラスト軸１１を右回りに回動させるとともに、回転軸Ｂを中心としてシートバック支持機構１２のスラスト軸１４を左回りに回動させる。すると、座部７は、ロール方向において時計回り（図８参照）に回動するとともに、ヨー方向において反時計回り（図９参照）に回動する。また、シートバック８は、ロール方向において反時計回り（図８参照）に回動する。これにより、ドライバは、図１に示す姿勢に誘導される。すなわち、骨盤の右側が、骨盤の左側に対して車両用シート装置３１の上下方向において相対的に上方に移動させられる。また、骨盤の右側が、骨盤の左側に対して車両用シート装置３１の前後方向において相対的に前方に移動させられる。また、肩甲骨の右側が、肩甲骨の左側に対して車両用シート装置３１の上下方向において相対的に下方に移動させられる。
【０１５５】
一方、ＥＣＵ３４は、車両が左旋回するのを検出すると、座部回動駆動装置３２及びシートバック回動駆動装置３３の回動駆動制御を行い、車両用シート装置１の正面視において、回転軸Ａを中心として座部支持機構９のスラスト軸１１を左回りに回動させるとともに、回転軸Ｂを中心としてシートバック支持機構１２のスラスト軸１４を右回りに回動させる。すると、座部７は、ロール方向において反時計回り（図１１参照）に回動するとともに、ヨー方向において時計回り（図１２参照）に回動する。また、シートバック８は、ロール方向において時計回り（図１１参照）に回動する。これにより、ドライバは、図２に示す姿勢に誘導される。すなわち、骨盤の左側が、骨盤の右側に対して車両用シート装置３１の上下方向において相対的に上方に移動させられる。また、骨盤の左側が、骨盤の右側に対して車両用シート装置３１の前後方向において相対的に前方に移動させられる。また、肩甲骨の左側が、肩甲骨の右側に対して車両用シート装置３１の上下方向において相対的に下方に移動させられる。
【０１５６】
なお、ＥＣＵ３４は、車両の旋回が終了するまで、座部回動駆動装置３２及びシートバック回動駆動装置３３の回動駆動制御を維持してもよく、座部回動駆動装置３２及びシートバック回動駆動装置３３の回動駆動制御を行った後、直ぐに又は所定時間後に、この回動駆動制御を解除してもよい。
【０１５７】
以上説明したように、本実施形態に係る車両用シート装置３１によれば、座部回動駆動装置３２により座部７を回動させることで、ドライバの骨盤の右側と左側とを車両用シート装置３１の上下方向に相対的に移動させることができる。このため、ドライバに、楽に操舵操作を行うことができる姿勢や、旋回時の姿勢保持性に優れた姿勢をとらせるように誘導することができるため、ドライバの姿勢保持性を向上させることができる。
【０１５８】
すなわち、ドライバが車両を旋回させるために操舵操作を行う際、座部回動駆動装置３２により座部７を回動させることで、車両旋回方向内側の骨盤を、車両旋回方向外側の骨盤に対して車両用シート装置３１の上下方向において相対的に上方に移動させることができる。この動きは、骨盤と肩部の角運動量保存の法則から見て最適な動きとなるため、ドライバの操舵操作性が向上する。しかも、座部回動駆動装置３２によりドライバの骨盤を動かすことで、ドライバは、腕の筋肉だけでなく、腕の筋肉よりも大きく持久力の高い体幹筋も使って、ステアリングを回動させることができるため、操舵操作に伴う腕、肩及び首の筋肉の疲れが軽減され、楽に操舵操作を行うことができる。
【０１５９】
また、車両が旋回している間も、座部回動駆動装置３２により、ドライバに骨盤を移動させた姿勢を保持させることができる。このため、ドライバは、車両旋回方向外側の体幹側方筋が伸びるとともに、車両旋回方向内側の体幹側方筋が縮み、横方向の剛性が高まる。これにより、ドライバは、大きなサイドサポートに頼らなくても、車両旋回方向外側に向かう横力に耐えることができるため、シートの軽量化及びコンパクト化を図ることができる。
【０１６０】
また、操舵操作の度に、座部回動駆動装置３２による座部７の回動によりドライバの骨盤を動かすことで、体幹筋を使って腰椎を折り曲げる腰部の運動が行われるため、ドライバは、運転中であっても腰部の運動を行うことができる。これにより、体幹筋の筋力低下が抑制されるため、体幹筋の筋力低下に伴う腰痛などの疾病を抑制することができる。また、腰部周りの血行が促進されることから、腰部周りの血行不良に伴う内蔵機能低下などの疾病を抑制することができる。このようなことから、車両を運転することで健康促進を図ることができる。
【０１６１】
また、シートバック回動駆動装置３３によりシートバック８を回動させることで、ドライバの骨盤の右側と左側とを車両用シート装置３１の上下方向に相対的に移動させることができる。このため、ドライバに、楽に操舵操作を行うことができる姿勢や、旋回時の姿勢保持性に優れた姿勢をとらせるように誘導することができるため、ドライバの姿勢保持性を更に向上させることができる。
【０１６２】
すなわち、ドライバが車両を旋回させるために操舵操作を行う際、シートバック回動駆動装置３３によりシートバック８を回動させることで、ドライバの骨盤の車両旋回方向内側を、ドライバの骨盤の車両旋回方向外側に対して車両用シート装置３１の上下方向において相対的に上方に移動させることができる。この動きは、骨盤と肩部の角運動量保存の法則から見て最適な動きとなるため、ドライバの操舵操作性が更に向上する。
【０１６３】
また、座部回動駆動装置３２による骨盤の回転軸が、車両用シート装置３１の前後方向において前方よりも後方が高く設定されているため、腰椎の折り曲げや腰椎の捻りが行い易くなる。これにより、ドライバの操舵操作性が更に向上する。
【０１６４】
また、車両用シート装置３１に着座したドライバの腰部付近に骨盤の回転軸を通すことで、腰椎の折り曲げや腰椎の捻りを更に行い易くすることができる。これにより、ドライバの操舵操作性が更に向上する。
【０１６５】
以上、本発明の好適な実施形態について説明したが、本発明は上記実施形態に限定されるものではない。例えば、上記実施形態では、座部７及びシートバック８の双方が回動するものとして説明したが、何れか一方のみが回動するものとしてもよい。例えば、座部７のみが回動し、シートバック８は回動しないものとしてもよい。
【０１６６】
また、上記実施形態では、座部支持機構及びシートバック支持機構がスラスト軸受及びスラスト軸で構成され、座部支持機構及びシートバック支持機構により座部及びシートバックが片持ち支持されるものとして説明したが、座部及びシートバックを回動自在に支持することができれば、座部支持機構及びシートバック支持機構の構成や座部及びシートバックの支持構造として、如何なる手段を採用してもよい。
【０１６７】
また、上記実施形態において、座部支持機構及びシートバック支持機構は、シートフレームに取り付けられるものとして説明したが、如何なる場所に取り付けられてもよい。例えば、座部支持機構及びシートバック支持機構が直接車両のフロアなどに取り付けられてもよい。
【０１６８】
また、上記実施形態では、車両の前後左右方向と車両用シート装置の前後左右方向が同じであることから、座部及びシートバックが車両のロール方向及びヨー方向に回動するものとして説明したが、車両に対する車両用シート装置の配置によって、車両に対する車両用シート装置の回動方向が変わる。例えば、車両用シート装置が車両の車幅方向に向かい合うように配置されている場合は、車両用シート装置の前後方向が車両の左右方向となり、車両用シート装置の左右方向が車両の前後方向となる。この場合、座部及びシートバックを車両のピッチ方向に回動させることで、座部及びシートバックの右側と左側とを車両用シート装置の上下方向に移動させることができ、座部及びシートバックを車両のヨー方向に回動させることで、座部及びシートバックの右側と左側とを車両用シート装置の前後方向に移動させることができる。
【０１６９】
また、上記実施形態において、座部及びシートバックの右側と左側との相対的な移動は、座部及びシートバックの回動により行うものとして説明したが、座部及びシートバックの右側と左側とを相対的に移動させることができれば、如何なる手段により行ってもよい。例えば、座部及びシートバックを右側と左側とで分割し、この分割された座部及びシートバックの右側と左側とを、それぞれ車両用シート装置の上下方向及び前後方向に移動可能に支持するものとしてもよい。このようにすれば、座部及びシートバックを回動させることなく、座部及びシートバックの右側と左側とを、車両用シート装置の上下方向及び前後方向に相対的に移動させることができる。
【０１７０】
また、第一から第三の実施形態は、適宜組み合わせることができる。例えば、第二の実施形態として説明した構成のうち、シートバックを車両のヨー方向に回動させる構成を、第三の実施形態に適用してもよい。この場合、シートバック回動駆動装置３３及びＥＣＵ３４が、シートバック移動手段として機能する。
【産業上の利用可能性】
【０１７１】
本発明は、車両に搭載される車両用シート装置として利用可能である。
【符号の説明】
【０１７２】
１…車両用シート装置、２…レール、３…シートフレーム、４…第一シートフレーム部、４ａ…座部支持機構取付部、５…第二シートフレーム部、６…ヘッドレスト、７…座部、８…シートバック、９…座部支持機構（座部支持手段、間隔変更手段、座部回動手段）、１０…スラスト軸受、１１…スラスト軸、１２…シートバック支持機構（シートバック支持手段、間隔変更手段、シートバック回動手段）、１３…スラスト軸受、１４…スラスト軸、１５…スライドレール、２１…車両用シート装置、２２…シートバック支持機構、２３…スラスト軸受、２４…スラスト軸、３１…車両用シート装置、３２…座部回動駆動装置（座部移動手段、間隔変更手段、座部回動手段）、３３…シートバック回動駆動装置（シートバック移動手段、間隔変更手段、シートバック回動手段）、３４…ＥＣＵ（座部移動手段、シートバック移動手段、間隔変更手段、座部回動手段、シートバック回動手段）、Ａ…座部の回転軸、Ｂ…シートバックの回転軸、Ｃ…シートバックの回転軸、Ｆ…フロア、Ｖ…鉛直線、θ１…回転軸Ａの鉛直線に対する傾斜角度、θ２…回転軸Ｃの鉛直線に対する傾斜角度。
【図１】
2013021497.tif 000003
【図２】
2013021497.tif 000004
【図３】
2013021497.tif 000005
【図４】
2013021497.tif 000006
【図５】
2013021497.tif 000007
【図６】
2013021497.tif 000008
【図７】
2013021497.tif 000009
【図８】
2013021497.tif 000010
【図９】
2013021497.tif 000011
【図１０】
2013021497.tif 000012
【図１１】
2013021497.tif 000013
【図１２】
2013021497.tif 000014
【図１３】
2013021497.tif 000015
【図１４】
2013021497.tif 000016
【図１５】
2013021497.tif 000017
【図１６】
2013021497.tif 000018
【図１７】
2013021497.tif 000019
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
座部と、前記座部の後側に配置されたシートバックと、を有する車両用シート装置であって、
少なくとも運転者による車両の操舵操作時に、前記座部の右側と左側とが前記車両用シート装置の上下方向に相対的に移動自在となるように、前記座部を支持する座部支持手段を有する、
車両用シート装置。
【請求項２】
前記座部支持手段は、前記座部を車両のロール方向において回動自在に支持する、
請求項１に記載の車両用シート装置。
【請求項３】
前記座部支持手段は、前記座部の右側と左側とが前記車両用シート装置の前後方向に相対的に移動するように、前記座部を支持する、
請求項１又は２に記載の車両用シート装置。
【請求項４】
前記座部支持手段は、前記座部を車両のヨー方向において回動自在に支持する、
請求項３に記載の車両用シート装置。
【請求項５】
前記座部支持手段による前記座部の回転軸は、前記車両用シート装置の前後方向において前方よりも後方が高くなるように設定されている、
請求項１〜４の何れか一項に記載の車両用シート装置。
【請求項６】
前記座部支持手段による前記座部の回転軸は、乗員腰部付近を通る、
請求項１〜５の何れか一項に記載の車両用シート装置。
【請求項７】
前記シートバックの右側と左側とが前記車両用シート装置の上下方向に相対的に移動するように、前記シートバックを支持するシートバック支持手段を更に有する、
請求項１〜６の何れか一項に記載の車両用シート装置。
【請求項８】
前記シートバック支持手段は、前記シートバックを車両のロール方向において回動自在に支持する、
請求項７に記載の車両用シート装置。
【請求項９】
前記シートバック支持手段は、前記シートバックの右側と左側とが前記車両用シート装置の前後方向に相対的に移動するように、前記シートバックを支持し、
前記座部と前記シートバックとを上面視において逆方向に回動させる移動方向規制手段を更に有する、
請求項７又は８に記載の車両用シート装置。
【請求項１０】
前記シートバック支持手段は、前記シートバックを車両のヨー方向において回動自在に支持する、
請求項９に記載の車両用シート装置。
【請求項１１】
前記シートバック支持手段による前記シートバックの回転軸は、乗員胸部付近を通る、
請求項７〜１０の何れか一項に記載の車両用シート装置。
【請求項１２】
座部と、前記座部の後側に配置されたシートバックと、を有する車両用シート装置であって、
少なくとも運転者による車両の操舵操作時に、前記座部の右側と左側とが前記車両用シート装置の上下方向に相対的に移動自在となるように、前記座部を支持する座部支持手段と、
前記座部の車両旋回方向と同方向側を、前記座部の車両旋回方向と逆方向側に対して前記車両用シート装置の上下方向において相対的に上方に移動させる座部移動手段と、を有する、
車両用シート装置。
【請求項１３】
前記座部移動手段は、前記座部の車両旋回方向と同方向側を、前記座部の車両旋回方向と逆方向側に対して前記車両用シート装置の前後方向において相対的に前方に移動させる、
請求項１２に記載の車両用シート装置。
【請求項１４】
前記シートバックの車両旋回方向と同方向側を、前記シートバックの車両旋回方向と逆方向側に対して前記車両用シート装置の上下方向において相対的に下方に移動させるシートバック移動手段を更に有する、
請求項１２又は１３に記載の車両用シート装置。
【請求項１５】
前記シートバック移動手段は、前記シートバックの車両旋回方向と同方向側を、前記シートバックの車両旋回方向と逆方向側に対して前記車両用シート装置の前後方向において相対的に後方に移動させ、
前記座部と前記シートバックとを、前記車両用シート装置の前後方向において逆方向に移動させる移動方向規制手段を更に有する、
請求項１２〜１４の何れか一項に記載の車両用シート装置。
【請求項１６】
前記座部の回転軸は、前記車両用シート装置の前後方向において前方よりも後方が高くなるように設定されている、
請求項１２〜１５の何れか一項に記載の車両用シート装置。
【請求項１７】
前記座部の回転軸は、乗員腰部付近を通る、
請求項１２〜１６の何れか一項に記載の車両用シート装置。
【請求項１８】
座部と、前記座部の後側に配置されたシートバックと、を有する車両用シート装置であって、
少なくとも運転者による車両の操舵操作時に、前記座部の右側と左側とが前記車両用シート装置の上下方向に相対的に移動自在となるように、前記座部を支持する座部支持手段と、
前記車両用シート装置の左右方向における一方の前記座部と前記シートバックとの間隔を変更する間隔変更手段と、を有する、
車両用シート装置。
【請求項１９】
座部と、前記座部の後側に配置されたシートバックと、を有する車両用シート装置であって、
少なくとも運転者による車両の操舵操作時に、前記座部の右側と左側とが前記車両用シート装置の上下方向に相対的に移動自在となるように、前記座部を支持する座部支持手段と、
前記車両用シート装置の上面視において前記座部を回動させる座部回動手段と、
前記車両用シート装置の上面視において前記シートバックを回動させるシートバック回動手段と、
を有し、
前記座部回動手段及び前記シートバック回動手段は、上面視において前記座部と前記シートバックとを逆方向に回動させる、
車両用シート装置。
【手続補正２】
【補正対象書類名】明細書
【補正対象項目名】０００２
【補正方法】変更
【補正の内容】
【０００２】
向に動かすことで、楽に速く走ることができる。また、例えば、空手でも、腰部を屈曲及び回動させて骨盤と肩甲骨とを逆方向に動かすことで、スピードとパワーのある突き（ｐｕｎｃｈ）を行うことができる。
［０００８］
しかしながら、ドライバは、車両に固定されたシートに着座しているため、常に腰部が固定された状態となる。このため、ドライバは、自然な運動の起点となる腰部が固定された状態で運転操作を行わなくてはならない。
［０００９］
例えば、操舵操作の際、ドライバは、腰部を起点として骨盤と肩甲骨とを逆方向に動かす運動ができないため、腕の筋力だけでステアリングの回転操作をしなければならない。しかしながら、腕の筋肉は、腰部の体幹筋に比べて小さく持久力が低いため、腕の筋力だけでステアリングを回転操作すると、腕が疲れやすくなる。しかも、腰部を起点とした自然な運動とは異なり、腰部が固定された不自然な姿勢で腕の運動を行うため、肩や首も疲れやすくなる。
［００１０］
また、腰部が固定されることで体幹筋に力が入らないため、横方向の剛性が極めて小さくなる。このため、ドライバが、車両旋回方向外側に向かう横力に耐えるためには、シートのサイドサポートに頼らざるを得なくなる。このため、シートの重量化及び大型化を招いてしまう。
［００１１］
また、腰部が固定された状態が長時間継続すると、腰部の体幹筋が大きく低下するため、腰痛の発生原因となる。なお、タクシードライバーの３大疾病は、腰痛、痔及び胃潰瘍であるが、その要因は、長時間車両を運転することによる体幹筋の筋力低下によるものと言われている。
［００１２］
このようなことから、本発明者らは、車両用シート装置の座部を移動可能とすることで、上記課題を解決することができるとの知見に至った。
［００１３］
すなわち、本発明に係る車両用シート装置は、座部と、前記座部の後側に配置されたシートバックと、を有する車両用シート装置であって、少なくとも運転者による車両の操舵操作時に、座部の右側と左側とが車両用シート装置の上下方向に相対的に移動自在となるように、座部を支持する座部支持手段を有する。
［００１４］
本発明にかかる車両用シート装置によれば、乗員は、腰椎を左右方向に折
【手続補正３】
【補正対象書類名】明細書
【補正対象項目名】０００６
【補正方法】変更
【補正の内容】
【０００６】
最適な動きとなるため、乗員の操舵操作性を更に向上させることができる。
［００３６］
本発明は、シートバック支持手段を、シートバックを車両のヨー方向において回動自在に支持するものとすることができる。
［００３６］
このように、シートバックを車両のヨー方向において回動自在に支持することで、操舵操作時に乗員の肩甲骨を自然に移動させることができる。これにより、体幹筋を使って肩甲骨を動かす腰部の運動を円滑に行うことができる。
［００３８］
本発明は、シートバック支持手段によるシートバックの回転軸を、乗員胸部付近に通すことができる。
［００３９］
肩甲骨は、主に胸椎又は腰椎を中心軸として動くことが多いため、乗員胸部付近にシートバックの回転軸を通すことで、腰椎の折り曲げや腰椎の捻りを更に行い易くすることができる。これにより、乗員の操舵操作性を更に向上させることができる。
［００４０］
本発明に係る車両用シート装置は、座部と、座部の後側に配置されたシートバックと、を有する車両用シート装置であって、少なくとも運転者による車両の操舵操作時に、座部の右側と左側とが車両用シート装置の上下方向に相対的に移動自在となるように、座部を支持する座部支持手段と、座部の車両旋回方向内側を、座部の車両旋回方向外側に対して車両用シート装置の上下方向において相対的に上方に移動させる座部移動手段と、を有する。
［００４１］
本発明に係る車両用シート装置によれば、座部移動手段により座部を移動させることで、乗員の骨盤の右側と左側とを車両用シート装置の上下方向に相対的に移動させることができる。これにより、乗員に、楽に操舵操作を行うことができる姿勢や、旋回時の姿勢保持性に優れた姿勢をとらせるように誘導することができるため、乗員の姿勢保持性を向上させることができる。
［００４２］
例えば、乗員が車両を旋回させるために操舵操作を行う際、座部移動手段により座部を移動させることで、乗員骨盤の車両旋回方向内側を、乗員骨盤の車両旋回方向外側に対して車両用シート装置の上下方向において相対的に上方に移動させることができる。この動きは、骨盤と肩部の角運動量保存の法則から見て最適な動きとなるため、乗員の操舵操作性が向上する。しかも、座部移動手段による座部の移動により乗員骨盤を動かすことで、乗員は、
【手続補正４】
【補正対象書類名】明細書
【補正対象項目名】０００９
【補正方法】変更
【補正の内容】
【０００９】
りも後方が高くなるように設定することができる。
［００５３］
人の腰椎は後傾しているため、座部移動手段による乗員骨盤の回転軸を、車両用シート装置の前後方向において前方よりも後方が高くなるように設定することで、腰椎の折り曲げや腰椎の捻りが行い易くなる。これにより、乗員の操舵操作性を更に向上させることができる。
［００５４］
本発明は、座部の回転軸を、乗員腰部付近に通すことができる。
［００５５］
骨盤は、主に腰椎を中心軸として動くことが多いため、乗員腰部付近に乗員骨盤の回転軸を通すことで、腰椎の折り曲げや腰椎の捻りが更に行い易くなる。これにより、乗員の操舵操作性を更に向上させることができる。
［００５６］
本発明に係る車両用シート装置は、座部と、座部の後側に配置されたシートバックとを有する車両用シート装置であって、少なくとも運転者による車両の操舵操作時に、座部の右側と左側とが車両用シート装置の上下方向に相対的に移動自在となるように、座部を支持する座部支持手段と、車両用シート装置の左右方向における一方の座部とシートバックとの間隔を変更する間隔変更手段と、を有する。
［００５７］
本発明に係る車両用シート装置によれば、間隔変更手段により、車両用シート装置の左右方向における一方の座部とシートバックとの間隔が変更することで、車両用シート装置の左右方向における一方の乗員肩部と乗員骨盤との間隔を変更することができる。これにより、乗員に、楽に操舵操作を行うことができる姿勢や、旋回時の姿勢保持性に優れた姿勢をとらせることができるため、乗員の姿勢保持性を向上させることができる。
［００５８］
例えば、乗員は、操舵操作を行う際、腰椎を左右方向に折り曲げて、車両旋回方向内側の肩と骨盤との距離を、車両旋回方向外側の肩と骨盤との距離よりも短くすることができる。この動きは、骨盤と肩部の角運動量保存の法則からみて最適な動きとなるため、乗員の操舵操作性が向上する。しかも、間隔変更手段により乗員肩部と乗員骨盤との間隔を変更することで、乗員は、腕の筋肉だけでなく、腕の筋肉よりも大きく持久力の高い体幹筋も使って、ステアリングを回動させることができるため、操舵操作に伴う腕、肩及び首の筋肉の疲れが軽減され、楽に操舵操作を行うことができる。
［００５９］
また、乗員は、車両が旋回している間も、間隔変更手段により乗員肩部と
【手続補正５】
【補正対象書類名】明細書
【補正対象項目名】００１０
【補正方法】変更
【補正の内容】
【００１０】
乗員骨盤との間隔を変更させた姿勢を保持することができる。このため、乗員は、車両旋回方向外側の体幹側方筋が伸びるとともに、車両旋回方向内側の体幹側方筋が縮み、横方向の剛性が高まる。これにより、乗員は、大きなサイドサポートに頼らなくても、車両旋回方向外側に向かう横力に耐えることができるため、シートの軽量化及びコンパクト化を図ることができる。
［００６０］
また、操舵操作の度に、間隔変更手段により乗員肩部と乗員骨盤との間隔を変更することで、体幹筋を使って腰椎を折り曲げる腰部の運動が行われるため、乗員は、運転中であっても腰部の運動が行うことができる。これにより、体幹筋の筋力低下が抑制されることから、体幹筋の筋力低下に伴う腰痛などの疾病を抑制することができる。また、腰部周りの血行が促進されることから、腰部周りの血行不良に伴う内蔵機能低下などの疾病を抑制することができる。このようなことから、車両を運転することで健康促進を図ることができる。
［００６１］
本発明に係る車両用シート装置は、座部と、座部の後側に配置されたシートバックとを有する車両用シート装置であって、少なくとも運転者による車両の操舵操作時に、座部の右側と左側とが車両用シート装置の上下方向に相対的に移動自在となるように、座部を支持する座部支持手段と、車両用シート装置の上面視において座部を回動させる座部回動手段と、車両用シート装置の上面視においてシートバックを回動させるシートバック回動手段と、を有し、座部回動手段及びシートバック回動手段は、上面視において座部とシートバックとを逆方向に回動させる。
［００６２］
本発明に係る車両用シート装置によれば、座部回動手段及びシートバック回動手段により、車両用シート装置の上面視において座部とシートバックとを逆方向に回動させることで、車両用シート装置の上面視において乗員骨盤と乗員肩部とを逆方向に回動させて、乗員の腰椎を捻ることができる。これにより、乗員に、楽に操舵操作を行うことができる姿勢や、旋回時の姿勢保持性に優れた姿勢をとらせることができるため、乗員の姿勢保持性を更に向上させることができる。
［００６３］
例えば、乗員は、操舵操作を行う際、腰椎を捻って、上面視において、乗員骨盤を車両旋回方向の反対方向に回転させ、乗員肩部を車両旋回方向に回
【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
座部と、前記座部の後側に配置されたシートバックと、を有する車両用シート装置であって、
前記座部の右側と左側とが前記車両用シート装置の上下方向に相対的に移動自在となるように、前記座部を支持する座部支持手段を有し、
前記座部支持手段による前記座部の回転軸は、前記車両用シート装置の前後方向において前方よりも後方が高くなるように設定されている、
車両用シート装置。
【請求項２】
前記座部支持手段は、前記座部を車両のロール方向において回動自在に支持する、
請求項１に記載の車両用シート装置。
【請求項３】
前記座部支持手段は、前記座部の右側と左側とが前記車両用シート装置の前後方向に相対的に移動するように、前記座部を支持する、
請求項１又は２に記載の車両用シート装置。
【請求項４】
前記座部支持手段は、前記座部を車両のヨー方向において回動自在に支持する、
請求項３に記載の車両用シート装置。
【請求項５】
前記座部支持手段による前記座部の回転軸は、乗員腰部付近を通る、
請求項１〜４の何れか一項に記載の車両用シート装置。
【請求項６】
前記シートバックの右側と左側とが前記車両用シート装置の上下方向に相対的に移動するように、前記シートバックを支持するシートバック支持手段を更に有する、
請求項１〜５の何れか一項に記載の車両用シート装置。
【請求項７】
前記シートバック支持手段は、前記シートバックを車両のロール方向において回動自在に支持する、
請求項６に記載の車両用シート装置。
【請求項８】
前記シートバック支持手段は、前記シートバックの右側と左側とが前記車両用シート装置の前後方向に相対的に移動するように、前記シートバックを支持し、
前記座部と前記シートバックとを上面視において逆方向に回動させる移動方向規制手段を更に有する、
請求項６又は７に記載の車両用シート装置。
【請求項９】
前記シートバック支持手段は、前記シートバックを車両のヨー方向において回動自在に支持する、
請求項８に記載の車両用シート装置。
【請求項１０】
前記シートバック支持手段による前記シートバックの回転軸は、乗員胸部付近を通る、
請求項６〜９の何れか一項に記載の車両用シート装置。
【請求項１１】
座部と、前記座部の後側に配置されたシートバックと、を有する車両用シート装置であって、
前記座部の右側と左側とが前記車両用シート装置の上下方向に相対的に移動自在となるように、前記座部を支持する座部支持手段と、
前記座部の車両旋回方向と同方向側を、前記座部の車両旋回方向と逆方向側に対して前記車両用シート装置の上下方向において相対的に上方に移動させる座部移動手段と、を有し、
前記座部支持手段による前記座部の回転軸は、前記車両用シート装置の前後方向において前方よりも後方が高くなるように設定されている、
車両用シート装置。
【請求項１２】
前記座部移動手段は、前記座部の車両旋回方向と同方向側を、前記座部の車両旋回方向と逆方向側に対して前記車両用シート装置の前後方向において相対的に前方に移動させる、
請求項１１に記載の車両用シート装置。
【請求項１３】
前記シートバックの車両旋回方向と同方向側を、前記シートバックの車両旋回方向と逆方向側に対して前記車両用シート装置の上下方向において相対的に下方に移動させるシートバック移動手段を更に有する、
請求項１１又は１２に記載の車両用シート装置。
【請求項１４】
前記シートバック移動手段は、前記シートバックの車両旋回方向と同方向側を、前記シートバックの車両旋回方向と逆方向側に対して前記車両用シート装置の前後方向において相対的に後方に移動させ、
前記座部と前記シートバックとを、前記車両用シート装置の前後方向において逆方向に移動させる移動方向規制手段を更に有する、
請求項１３に記載の車両用シート装置。
【請求項１５】
前記座部の回転軸は、前記車両用シート装置の前後方向において前方よりも後方が高くなるように設定されている、
請求項１１〜１４の何れか一項に記載の車両用シート装置。
【請求項１６】
前記座部の回転軸は、乗員腰部付近を通る、
請求項１１〜１５の何れか一項に記載の車両用シート装置。
【請求項１７】
座部と、前記座部の後側に配置されたシートバックと、を有する車両用シート装置であって、
前記座部の右側と左側とが前記車両用シート装置の上下方向に相対的に移動自在となるように、前記座部を支持する座部支持手段と、
前記車両用シート装置の左右方向における一方の前記座部と前記シートバックとの間隔を変更する間隔変更手段と、を有し、
前記座部支持手段による前記座部の回転軸は、前記車両用シート装置の前後方向において前方よりも後方が高くなるように設定されている、
車両用シート装置。
【請求項１８】
座部と、前記座部の後側に配置されたシートバックと、を有する車両用シート装置であって、
少なくとも運転者による車両の操舵操作時に、前記座部の右側と左側とが前記車両用シート装置の上下方向に相対的に移動自在となるように、前記座部を支持する座部支持手段と、
前記車両用シート装置の上面視において前記座部を回動させる座部回動手段と、
前記車両用シート装置の上面視において前記シートバックを回動させるシートバック回動手段と、
を有し、
前記座部回動手段及び前記シートバック回動手段は、上面視において前記座部と前記シートバックとを逆方向に回動させ、
前記座部支持手段による前記座部の回転軸は、前記車両用シート装置の前後方向において前方よりも後方が高くなるように設定されている、
車両用シート装置。
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
座部と、前記座部の後側に配置されたシートバックと、を有する車両用シート装置であって、
前記座部の右側と左側とが前記車両用シート装置の上下方向に相対的に移動自在となるように、前記座部を支持する座部支持手段を有し、
前記座部支持手段による前記座部の回転軸は、前記車両用シート装置の前後方向において前方よりも後方が高くなるように設定されている、
車両用シート装置。
【請求項２】
前記座部支持手段は、前記座部を車両のロール方向において回動自在に支持する、
請求項１に記載の車両用シート装置。
【請求項３】
前記座部支持手段は、前記座部の右側と左側とが前記車両用シート装置の前後方向に相対的に移動するように、前記座部を支持する、
請求項１又は２に記載の車両用シート装置。
【請求項４】
前記座部支持手段は、前記座部を車両のヨー方向において回動自在に支持する、
請求項３に記載の車両用シート装置。
【請求項５】
前記座部支持手段による前記座部の回転軸は、乗員腰部付近を通る、
請求項１〜４の何れか一項に記載の車両用シート装置。
【請求項６】
前記シートバックの右側と左側とが前記車両用シート装置の上下方向に相対的に移動するように、前記シートバックを支持するシートバック支持手段を更に有する、
請求項１〜５の何れか一項に記載の車両用シート装置。
【請求項７】
前記シートバック支持手段は、前記シートバックを車両のロール方向において回動自在に支持する、
請求項６に記載の車両用シート装置。
【請求項８】
前記シートバック支持手段は、前記シートバックの右側と左側とが前記車両用シート装置の前後方向に相対的に移動するように、前記シートバックを支持し、
前記座部と前記シートバックとを上面視において逆方向に回動させる移動方向規制手段を更に有する、
請求項６又は７に記載の車両用シート装置。
【請求項９】
前記シートバック支持手段は、前記シートバックを車両のヨー方向において回動自在に支持する、
請求項８に記載の車両用シート装置。
【請求項１０】
前記シートバック支持手段による前記シートバックの回転軸は、乗員胸部付近を通る、
請求項６〜９の何れか一項に記載の車両用シート装置。
【請求項１１】
座部と、前記座部の後側に配置されたシートバックと、を有する車両用シート装置であって、
前記座部の右側と左側とが前記車両用シート装置の上下方向に相対的に移動自在となるように、前記座部を支持する座部支持手段と、
前記座部の車両旋回方向と同方向側を、前記座部の車両旋回方向と逆方向側に対して前記車両用シート装置の上下方向において相対的に上方に移動させる座部移動手段と、を有し、
前記座部支持手段による前記座部の回転軸は、前記車両用シート装置の前後方向において前方よりも後方が高くなるように設定されている、
車両用シート装置。
【請求項１２】
前記座部移動手段は、前記座部の車両旋回方向と同方向側を、前記座部の車両旋回方向と逆方向側に対して前記車両用シート装置の前後方向において相対的に前方に移動させる、
請求項１１に記載の車両用シート装置。
【請求項１３】
前記シートバックの車両旋回方向と同方向側を、前記シートバックの車両旋回方向と逆方向側に対して前記車両用シート装置の上下方向において相対的に下方に移動させるシートバック移動手段を更に有する、
請求項１１又は１２に記載の車両用シート装置。
【請求項１４】
前記シートバック移動手段は、前記シートバックの車両旋回方向と同方向側を、前記シートバックの車両旋回方向と逆方向側に対して前記車両用シート装置の前後方向において相対的に後方に移動させ、
前記座部と前記シートバックとを、前記車両用シート装置の前後方向において逆方向に移動させる移動方向規制手段を更に有する、
請求項１３に記載の車両用シート装置。
【請求項１５】
前記座部の回転軸は、乗員腰部付近を通る、
請求項１１〜１４の何れか一項に記載の車両用シート装置。
【請求項１６】
座部と、前記座部の後側に配置されたシートバックと、を有する車両用シート装置であって、
前記座部の右側と左側とが前記車両用シート装置の上下方向に相対的に移動自在となるように、前記座部を支持する座部支持手段と、
前記車両用シート装置の左右方向における一方の前記座部と前記シートバックとの間隔を変更する間隔変更手段と、を有し、
前記座部支持手段による前記座部の回転軸は、前記車両用シート装置の前後方向において前方よりも後方が高くなるように設定されている、
車両用シート装置。
【請求項１７】
座部と、前記座部の後側に配置されたシートバックと、を有する車両用シート装置であって、
前記座部の右側と左側とが前記車両用シート装置の上下方向に相対的に移動自在となるように、前記座部を支持する座部支持手段と、
前記車両用シート装置の上面視において前記座部を回動させる座部回動手段と、
前記車両用シート装置の上面視において前記シートバックを回動させるシートバック回動手段と、
を有し、
前記座部回動手段及び前記シートバック回動手段は、上面視において前記座部と前記シートバックとを逆方向に回動させ、
前記座部支持手段による前記座部の回転軸は、前記車両用シート装置の前後方向において前方よりも後方が高くなるように設定されている、
車両用シート装置。
【国際調査報告】
2013021497.tif 000020
2013021497.tif 000021
2013021497.tif 000022
2013021497.tif 000023
2013021497.tif 000024
2013021497.tif 000025
2013021497.tif 000026
2013021497.tif 000027
2013021497.tif 000028
2013021497.tif 000029